(57)【要約】【課題】従来の電子機器において実行されていた文字入力を操作性の面で改善すること。【解決手段】電子機器は、筐体と、筐体に配置されたタッチスクリーンと、タッチスクリーンの第１の縁に沿って並ぶ複数の第１のソフトウェアキーと、タッチスクリーンの第２の縁に沿って並ぶ複数の第２のソフトウェアキーと、第１の縁に沿って並ぶ筐体に並ぶ複数の物理キーと、第１のソフトウェアキーまたは第２のソフトウェアキーまたは物理キーの操作に基づいて処理を実行するコントローラと、を備え、コントローラは、「Ｑ」「Ｗ」「Ｅ」「Ｒ」「Ｔ」「Ｙ」「Ｕ」「Ｉ」「Ｏ」「Ｐ」の文字を、複数の物理キーのそれぞれに割り当て、「Ａ」「Ｓ」「Ｄ」「Ｆ」「Ｇ」「Ｈ」「Ｊ」「Ｋ」「Ｌ」の文字を、複数の第１のソフトウェアキーのそれぞれに割り当て、「Ｚ」「Ｘ」「Ｃ」「Ｖ」「Ｂ」「Ｎ」「Ｍ」の文字を、複数の第２のソフトウェアキーのそれぞれに割り当てる。【選択図】図１
2018005531.tif 000002
【特許請求の範囲】
【請求項１】
筐体と、
前記筐体に配置されたタッチスクリーンと、
前記タッチスクリーンの第１の縁に沿って並ぶ複数の第１のソフトウェアキーと、
前記タッチスクリーンの第２の縁に沿って並ぶ複数の第２のソフトウェアキーと、
前記第１の縁に沿って並ぶ複数の物理キーと、
前記第１のソフトウェアキーまたは前記第２のソフトウェアキーまたは前記物理キーの操作に基づいて処理を実行するコントローラと、を備え、
前記コントローラは、
「Ｑ」「Ｗ」「Ｅ」「Ｒ」「Ｔ」「Ｙ」「Ｕ」「Ｉ」「Ｏ」「Ｐ」の文字を、複数の前記物理キーのそれぞれに割り当て、
「Ａ」「Ｓ」「Ｄ」「Ｆ」「Ｇ」「Ｈ」「Ｊ」「Ｋ」「Ｌ」の文字を、複数の前記第１のソフトウェアキーのそれぞれに割り当て、
「Ｚ」「Ｘ」「Ｃ」「Ｖ」「Ｂ」「Ｎ」「Ｍ」の文字を、複数の前記第２のソフトウェアキーのそれぞれに割り当てる電子機器。
【請求項２】
筐体と、
前記筐体に配置されたタッチスクリーンと、
前記タッチスクリーンの第１の縁に沿って並ぶ複数の第１のソフトウェアキーと、
前記タッチスクリーンの第２の縁に沿って並ぶ複数の第２のソフトウェアキーと、
前記第１の縁に沿って並ぶ複数の物理キーと、
前記第１のソフトウェアキーまたは前記第２のソフトウェアキーまたは前記物理キーの操作に基づいて処理を実行するコントローラと、を備え、
前記コントローラは、
「Ｑ」「Ｗ」「Ｅ」「Ｒ」「Ｔ」「Ｙ」「Ｕ」「Ｉ」「Ｏ」「Ｐ」の文字を、複数の前記第２のソフトウェアキーのそれぞれに割り当て、
「Ａ」「Ｓ」「Ｄ」「Ｆ」「Ｇ」「Ｈ」「Ｊ」「Ｋ」「Ｌ」の文字を、複数の前記第１のソフトウェアキーのそれぞれに割り当て、
「Ｚ」「Ｘ」「Ｃ」「Ｖ」「Ｂ」「Ｎ」「Ｍ」の文字を、複数の前記物理キーのそれぞれに割り当てる電子機器。
【請求項３】
筐体と、
タッチスクリーンと、
前記タッチスクリーンの第１の縁に沿って並ぶ複数の第１のソフトウェアキーと、
前記タッチスクリーンの第２の縁に沿って並ぶ複数の第２のソフトウェアキーと、
前記第１のソフトウェアキーまたは前記第２のソフトウェアキーの操作に基づいて処理を実行するコントローラと、
を備え、
前記コントローラは、
「Ｑ」「Ｗ」「Ｅ」「Ｒ」「Ｔ」「Ｙ」「Ｕ」「Ｉ」「Ｏ」「Ｐ」の行を、複数の前記第１のソフトウェアキーのうち前記第１のソフトウェアキーの１つに、割り当てて、「Ａ」「Ｓ」「Ｄ」「Ｆ」「Ｇ」「Ｈ」「Ｊ」「Ｋ」「Ｌ」の行を、複数の前記第１のソフトウェアキーのうち前記第１のソフトウェアキーの１つに、割り当てて、「Ｚ」「Ｘ」「Ｃ」「Ｖ」「Ｂ」「Ｎ」「Ｍ」の行を、複数の前記第１のソフトウェアキーのうち前記第１のソフトウェアキーの１つに、割り当て、
該「Ｑ」「Ｗ」「Ｅ」「Ｒ」「Ｔ」「Ｙ」「Ｕ」「Ｉ」「Ｏ」「Ｐ」の行を割り当てられた前記第１のソフトウェアキーの操作を検出すると、「Ｑ」「Ｗ」「Ｅ」「Ｒ」「Ｔ」「Ｙ」「Ｕ」「Ｉ」「Ｏ」「Ｐ」の文字を、複数の前記第２のソフトウェアキーのそれぞれに割り当て、
該「Ａ」「Ｓ」「Ｄ」「Ｆ」「Ｇ」「Ｈ」「Ｊ」「Ｋ」「Ｌ」の行を割り当てられた前記第１のソフトウェアキーの操作を検出すると、「Ａ」「Ｓ」「Ｄ」「Ｆ」「Ｇ」「Ｈ」「Ｊ」「Ｋ」「Ｌ」の文字を、複数の前記第２のソフトウェアキーのそれぞれに割り当て、
該「Ｚ」「Ｘ」「Ｃ」「Ｖ」「Ｂ」「Ｎ」「Ｍ」の行を割り当てられた前記第１のソフトウェアキーの操作を検出すると、「Ｚ」「Ｘ」「Ｃ」「Ｖ」「Ｂ」「Ｎ」「Ｍ」の文字を、複数の前記第２のソフトウェアキーのそれぞれに割り当てる電子機器。
【請求項４】
筐体と、前記筐体に配置されたタッチスクリーンと、前記タッチスクリーンの第１の縁に沿って並ぶ複数の第１のソフトウェアキーと、前記タッチスクリーンの第２の縁に沿って並ぶ複数の第２のソフトウェアキーと、前記第１の縁に沿って並ぶ複数の物理キーと、を備える電子機器の制御方法であって、
「Ｑ」「Ｗ」「Ｅ」「Ｒ」「Ｔ」「Ｙ」「Ｕ」「Ｉ」「Ｏ」「Ｐ」の文字を、複数の前記物理キーのそれぞれに割り当て、
「Ａ」「Ｓ」「Ｄ」「Ｆ」「Ｇ」「Ｈ」「Ｊ」「Ｋ」「Ｌ」の文字を、複数の前記第１のソフトウェアキーのそれぞれに割り当て、
「Ｚ」「Ｘ」「Ｃ」「Ｖ」「Ｂ」「Ｎ」「Ｍ」の文字を、複数の前記第２のソフトウェアキーのそれぞれに割り当てる制御方法。
【請求項５】
筐体と、前記筐体に配置されたタッチスクリーンと、前記タッチスクリーンの第１の縁に沿って並ぶ複数の第１のソフトウェアキーと、前記タッチスクリーンの第２の縁に沿って並ぶ複数の第２のソフトウェアキーと、前記第１の縁に沿って並ぶ複数の物理キーと、を備える電子機器の制御方法であって、
「Ｑ」「Ｗ」「Ｅ」「Ｒ」「Ｔ」「Ｙ」「Ｕ」「Ｉ」「Ｏ」「Ｐ」の文字を、複数の前記第２のソフトウェアキーのそれぞれに割り当て、
「Ａ」「Ｓ」「Ｄ」「Ｆ」「Ｇ」「Ｈ」「Ｊ」「Ｋ」「Ｌ」の文字を、複数の前記第１のソフトウェアキーのそれぞれに割り当て、
「Ｚ」「Ｘ」「Ｃ」「Ｖ」「Ｂ」「Ｎ」「Ｍ」の文字を、複数の前記物理キーのそれぞれに割り当てる制御方法。
【請求項６】
筐体と、前記筐体に配置されたタッチスクリーンと、前記タッチスクリーンの第１の縁に沿って並ぶ複数の第１のソフトウェアキーと、前記タッチスクリーンの第２の縁に沿って並ぶ複数の第２のソフトウェアキーと、を備える電子機器の制御方法であって、
「Ｑ」「Ｗ」「Ｅ」「Ｒ」「Ｔ」「Ｙ」「Ｕ」「Ｉ」「Ｏ」「Ｐ」の行を、複数の前記第１のソフトウェアキーのうち前記第１のソフトウェアキーの１つに、割り当てて、「Ａ」「Ｓ」「Ｄ」「Ｆ」「Ｇ」「Ｈ」「Ｊ」「Ｋ」「Ｌ」の行を、複数の前記第１のソフトウェアキーのうち前記第１のソフトウェアキーの１つに、割り当てて、「Ｚ」「Ｘ」「Ｃ」「Ｖ」「Ｂ」「Ｎ」「Ｍ」の行を、複数の前記第１のソフトウェアキーのうち前記第１のソフトウェアキーの１つに、割り当て、
該「Ｑ」「Ｗ」「Ｅ」「Ｒ」「Ｔ」「Ｙ」「Ｕ」「Ｉ」「Ｏ」「Ｐ」の行を割り当てられた前記第１のソフトウェアキーの操作を検出すると、「Ｑ」「Ｗ」「Ｅ」「Ｒ」「Ｔ」「Ｙ」「Ｕ」「Ｉ」「Ｏ」「Ｐ」の文字を、複数の前記第２のソフトウェアキーのそれぞれに割り当て、
該「Ａ」「Ｓ」「Ｄ」「Ｆ」「Ｇ」「Ｈ」「Ｊ」「Ｋ」「Ｌ」の行を割り当てられた前記第１のソフトウェアキーの操作を検出すると、「Ａ」「Ｓ」「Ｄ」「Ｆ」「Ｇ」「Ｈ」「Ｊ」「Ｋ」「Ｌ」の文字を、複数の前記第２のソフトウェアキーのそれぞれに割り当て、
該「Ｚ」「Ｘ」「Ｃ」「Ｖ」「Ｂ」「Ｎ」「Ｍ」の行を割り当てられた前記第１のソフトウェアキーの操作を検出すると、「Ｚ」「Ｘ」「Ｃ」「Ｖ」「Ｂ」「Ｎ」「Ｍ」の文字を、複数の前記第２のソフトウェアキーのそれぞれに割り当てる制御方法。
【請求項７】
筐体と、前記筐体に配置されたタッチスクリーンと、前記タッチスクリーンの第１の縁に沿って並ぶ複数の第１のソフトウェアキーと、前記タッチスクリーンの第２の縁に沿って並ぶ複数の第２のソフトウェアキーと、前記第１の縁に沿って並ぶ複数の物理キーと、を備える電子機器に、
「Ｑ」「Ｗ」「Ｅ」「Ｒ」「Ｔ」「Ｙ」「Ｕ」「Ｉ」「Ｏ」「Ｐ」の文字を、複数の前記物理キーのそれぞれに割り当て、
「Ａ」「Ｓ」「Ｄ」「Ｆ」「Ｇ」「Ｈ」「Ｊ」「Ｋ」「Ｌ」の文字を、複数の前記第１のソフトウェアキーのそれぞれに割り当て、
「Ｚ」「Ｘ」「Ｃ」「Ｖ」「Ｂ」「Ｎ」「Ｍ」の文字を、複数の前記第２のソフトウェアキーのそれぞれに割り当てる処理を実行させるプログラム。
【請求項８】
筐体と、前記筐体に配置されたタッチスクリーンと、前記タッチスクリーンの第１の縁に沿って並ぶ複数の第１のソフトウェアキーと、前記タッチスクリーンの第２の縁に沿って並ぶ複数の第２のソフトウェアキーと、前記第１の縁に沿って並ぶ複数の物理キーと、を備える電子機器に、
「Ｑ」「Ｗ」「Ｅ」「Ｒ」「Ｔ」「Ｙ」「Ｕ」「Ｉ」「Ｏ」「Ｐ」の文字を、複数の前記第２のソフトウェアキーのそれぞれに割り当て、
「Ａ」「Ｓ」「Ｄ」「Ｆ」「Ｇ」「Ｈ」「Ｊ」「Ｋ」「Ｌ」の文字を、複数の前記第１のソフトウェアキーのそれぞれに割り当て、
「Ｚ」「Ｘ」「Ｃ」「Ｖ」「Ｂ」「Ｎ」「Ｍ」の文字を、複数の前記物理キーのそれぞれに割り当てる処理を実行させるプログラム。
【請求項９】
筐体と、前記筐体に配置されたタッチスクリーンと、前記タッチスクリーンの第１の縁に沿って並ぶ複数の第１のソフトウェアキーと、前記タッチスクリーンの第２の縁に沿って並ぶ複数の第２のソフトウェアキーと、を備える電子機器に、
「Ｑ」「Ｗ」「Ｅ」「Ｒ」「Ｔ」「Ｙ」「Ｕ」「Ｉ」「Ｏ」「Ｐ」の行を、複数の前記第１のソフトウェアキーのうち前記第１のソフトウェアキーの１つに、割り当てて、「Ａ」「Ｓ」「Ｄ」「Ｆ」「Ｇ」「Ｈ」「Ｊ」「Ｋ」「Ｌ」の行を、複数の前記第１のソフトウェアキーのうち前記第１のソフトウェアキーの１つに、割り当てて、「Ｚ」「Ｘ」「Ｃ」「Ｖ」「Ｂ」「Ｎ」「Ｍ」の行を、複数の前記第１のソフトウェアキーのうち前記第１のソフトウェアキーの１つに、割り当て、
該「Ｑ」「Ｗ」「Ｅ」「Ｒ」「Ｔ」「Ｙ」「Ｕ」「Ｉ」「Ｏ」「Ｐ」の行を割り当てられた前記第１のソフトウェアキーの操作を検出すると、「Ｑ」「Ｗ」「Ｅ」「Ｒ」「Ｔ」「Ｙ」「Ｕ」「Ｉ」「Ｏ」「Ｐ」の文字を、複数の前記第２のソフトウェアキーのそれぞれに割り当て、
該「Ａ」「Ｓ」「Ｄ」「Ｆ」「Ｇ」「Ｈ」「Ｊ」「Ｋ」「Ｌ」の行を割り当てられた前記第１のソフトウェアキーの操作を検出すると、「Ａ」「Ｓ」「Ｄ」「Ｆ」「Ｇ」「Ｈ」「Ｊ」「Ｋ」「Ｌ」の文字を、複数の前記第２のソフトウェアキーのそれぞれに割り当て、
該「Ｚ」「Ｘ」「Ｃ」「Ｖ」「Ｂ」「Ｎ」「Ｍ」の行を割り当てられた前記第１のソフトウェアキーの操作を検出すると、「Ｚ」「Ｘ」「Ｃ」「Ｖ」「Ｂ」「Ｎ」「Ｍ」の文字を、複数の前記第２のソフトウェアキーのそれぞれに割り当てる処理を実行させるプログラム。
【発明の詳細な説明】
【技術分野】
【０００１】
本出願は、電子機器、制御方法、及びプログラムに関する。
【背景技術】
【０００２】
電子機器には、物理キー及びタッチスクリーンなどを搭載したものがある。例えば、特許文献１には、物理キー及びタッチスクリーンを介して検出した操作に応じて各種の機能を実行する電子機器が開示されている。
【先行技術文献】
【特許文献】
【０００３】
【特許文献１】国際公開第２００８／０８６３０２号
【発明の概要】
【発明が解決しようとする課題】
【０００４】
従来の電子機器において実行されていた文字入力には、操作性の面で改善の余地がある。
【課題を解決するための手段】
【０００５】
１つの態様に係る電子機器は、筐体と、前記筐体に配置されたタッチスクリーンと、前記タッチスクリーンの第１の縁に沿って並ぶ複数の第１のソフトウェアキーと、前記タッチスクリーンの第２の縁に沿って並ぶ複数の第２のソフトウェアキーと、前記第１の縁に沿って並ぶ複数の物理キーと、前記第１のソフトウェアキーまたは前記第２のソフトウェアキーまたは前記物理キーの操作に基づいて処理を実行するコントローラと、を備え、前記コントローラは、「Ｑ」「Ｗ」「Ｅ」「Ｒ」「Ｔ」「Ｙ」「Ｕ」「Ｉ」「Ｏ」「Ｐ」の文字を、複数の前記物理キーのそれぞれに割り当て、「Ａ」「Ｓ」「Ｄ」「Ｆ」「Ｇ」「Ｈ」「Ｊ」「Ｋ」「Ｌ」の文字を、複数の前記第１のソフトウェアキーのそれぞれに割り当て、「Ｚ」「Ｘ」「Ｃ」「Ｖ」「Ｂ」「Ｎ」「Ｍ」の文字を、複数の前記第２のソフトウェアキーのそれぞれに割り当てる。
【０００６】
１つの態様に係る電子機器は、筐体と、前記筐体に配置されたタッチスクリーンと、前記タッチスクリーンの第１の縁に沿って並ぶ複数の第１のソフトウェアキーと、前記タッチスクリーンの第２の縁に沿って並ぶ複数の第２のソフトウェアキーと、前記第１の縁に沿って並ぶ複数の物理キーと、前記第１のソフトウェアキーまたは前記第２のソフトウェアキーまたは前記物理キーの操作に基づいて処理を実行するコントローラと、を備え、前記コントローラは、「Ｑ」「Ｗ」「Ｅ」「Ｒ」「Ｔ」「Ｙ」「Ｕ」「Ｉ」「Ｏ」「Ｐ」の文字を、複数の前記第２のソフトウェアキーのそれぞれに割り当て、「Ａ」「Ｓ」「Ｄ」「Ｆ」「Ｇ」「Ｈ」「Ｊ」「Ｋ」「Ｌ」の文字を、複数の前記第１のソフトウェアキーのそれぞれに割り当て、「Ｚ」「Ｘ」「Ｃ」「Ｖ」「Ｂ」「Ｎ」「Ｍ」の文字を、複数の前記物理キーのそれぞれに割り当てる。
【０００７】
１つの態様に係る電子機器は、筐体と、タッチスクリーンと、前記タッチスクリーンの第１の縁に沿って並ぶ複数の第１のソフトウェアキーと、前記タッチスクリーンの第２の縁に沿って並ぶ複数の第２のソフトウェアキーと、前記第１のソフトウェアキーまたは前記第２のソフトウェアキーの操作に基づいて処理を実行するコントローラと、を備え、前記コントローラは、「Ｑ」「Ｗ」「Ｅ」「Ｒ」「Ｔ」「Ｙ」「Ｕ」「Ｉ」「Ｏ」「Ｐ」の行を、複数の前記第１のソフトウェアキーのうち前記第１のソフトウェアキーの１つに、割り当てて、「Ａ」「Ｓ」「Ｄ」「Ｆ」「Ｇ」「Ｈ」「Ｊ」「Ｋ」「Ｌ」の行を、複数の前記第１のソフトウェアキーのうち前記第１のソフトウェアキーの１つに、割り当てて、「Ｚ」「Ｘ」「Ｃ」「Ｖ」「Ｂ」「Ｎ」「Ｍ」の行を、複数の前記第１のソフトウェアキーのうち前記第１のソフトウェアキーの１つに、割り当て、該「Ｑ」「Ｗ」「Ｅ」「Ｒ」「Ｔ」「Ｙ」「Ｕ」「Ｉ」「Ｏ」「Ｐ」の行を割り当てられた前記第１のソフトウェアキーの操作を検出すると、「Ｑ」「Ｗ」「Ｅ」「Ｒ」「Ｔ」「Ｙ」「Ｕ」「Ｉ」「Ｏ」「Ｐ」の文字を、複数の前記第２のソフトウェアキーのそれぞれに割り当て、該「Ａ」「Ｓ」「Ｄ」「Ｆ」「Ｇ」「Ｈ」「Ｊ」「Ｋ」「Ｌ」の行を割り当てられた前記第１のソフトウェアキーの操作を検出すると、「Ａ」「Ｓ」「Ｄ」「Ｆ」「Ｇ」「Ｈ」「Ｊ」「Ｋ」「Ｌ」の文字を、複数の前記第２のソフトウェアキーのそれぞれに割り当て、該「Ｚ」「Ｘ」「Ｃ」「Ｖ」「Ｂ」「Ｎ」「Ｍ」の行を割り当てられた前記第１のソフトウェアキーの操作を検出すると、「Ｚ」「Ｘ」「Ｃ」「Ｖ」「Ｂ」「Ｎ」「Ｍ」の文字を、複数の前記第２のソフトウェアキーのそれぞれに割り当てる。
【０００８】
１つの態様に係る制御方法は、筐体と、前記筐体に配置されたタッチスクリーンと、前記タッチスクリーンの第１の縁に沿って並ぶ複数の第１のソフトウェアキーと、前記タッチスクリーンの第２の縁に沿って並ぶ複数の第２のソフトウェアキーと、前記第１の縁に沿って並ぶ複数の物理キーと、を備える電子機器の制御方法であって、「Ｑ」「Ｗ」「Ｅ」「Ｒ」「Ｔ」「Ｙ」「Ｕ」「Ｉ」「Ｏ」「Ｐ」の文字を、複数の前記物理キーのそれぞれに割り当て、「Ａ」「Ｓ」「Ｄ」「Ｆ」「Ｇ」「Ｈ」「Ｊ」「Ｋ」「Ｌ」の文字を、複数の前記第１のソフトウェアキーのそれぞれに割り当て、「Ｚ」「Ｘ」「Ｃ」「Ｖ」「Ｂ」「Ｎ」「Ｍ」の文字を、複数の前記第２のソフトウェアキーのそれぞれに割り当てる。
【０００９】
１つの態様に係る制御方法は、筐体と、前記筐体に配置されたタッチスクリーンと、前記タッチスクリーンの第１の縁に沿って並ぶ複数の第１のソフトウェアキーと、前記タッチスクリーンの第２の縁に沿って並ぶ複数の第２のソフトウェアキーと、前記第１の縁に沿って並ぶ複数の物理キーと、を備える電子機器の制御方法であって、「Ｑ」「Ｗ」「Ｅ」「Ｒ」「Ｔ」「Ｙ」「Ｕ」「Ｉ」「Ｏ」「Ｐ」の文字を、複数の前記第２のソフトウェアキーのそれぞれに割り当て、「Ａ」「Ｓ」「Ｄ」「Ｆ」「Ｇ」「Ｈ」「Ｊ」「Ｋ」「Ｌ」の文字を、複数の前記第１のソフトウェアキーのそれぞれに割り当て、「Ｚ」「Ｘ」「Ｃ」「Ｖ」「Ｂ」「Ｎ」「Ｍ」の文字を、複数の前記物理キーのそれぞれに割り当てる。
【００１０】
１つの態様に係る制御方法は、筐体と、前記筐体に配置されたタッチスクリーンと、前記タッチスクリーンの第１の縁に沿って並ぶ複数の第１のソフトウェアキーと、前記タッチスクリーンの第２の縁に沿って並ぶ複数の第２のソフトウェアキーと、を備える電子機器の制御方法であって、「Ｑ」「Ｗ」「Ｅ」「Ｒ」「Ｔ」「Ｙ」「Ｕ」「Ｉ」「Ｏ」「Ｐ」の行を、複数の前記第１のソフトウェアキーのうち前記第１のソフトウェアキーの１つに、割り当てて、「Ａ」「Ｓ」「Ｄ」「Ｆ」「Ｇ」「Ｈ」「Ｊ」「Ｋ」「Ｌ」の行を、複数の前記第１のソフトウェアキーのうち前記第１のソフトウェアキーの１つに、割り当てて、「Ｚ」「Ｘ」「Ｃ」「Ｖ」「Ｂ」「Ｎ」「Ｍ」の行を、複数の前記第１のソフトウェアキーのうち前記第１のソフトウェアキーの１つに、割り当て、該「Ｑ」「Ｗ」「Ｅ」「Ｒ」「Ｔ」「Ｙ」「Ｕ」「Ｉ」「Ｏ」「Ｐ」の行を割り当てられた前記第１のソフトウェアキーの操作を検出すると、「Ｑ」「Ｗ」「Ｅ」「Ｒ」「Ｔ」「Ｙ」「Ｕ」「Ｉ」「Ｏ」「Ｐ」の文字を、複数の前記第２のソフトウェアキーのそれぞれに割り当て、該「Ａ」「Ｓ」「Ｄ」「Ｆ」「Ｇ」「Ｈ」「Ｊ」「Ｋ」「Ｌ」の行を割り当てられた前記第１のソフトウェアキーの操作を検出すると、「Ａ」「Ｓ」「Ｄ」「Ｆ」「Ｇ」「Ｈ」「Ｊ」「Ｋ」「Ｌ」の文字を、複数の前記第２のソフトウェアキーのそれぞれに割り当て、該「Ｚ」「Ｘ」「Ｃ」「Ｖ」「Ｂ」「Ｎ」「Ｍ」の行を割り当てられた前記第１のソフトウェアキーの操作を検出すると、「Ｚ」「Ｘ」「Ｃ」「Ｖ」「Ｂ」「Ｎ」「Ｍ」の文字を、複数の前記第２のソフトウェアキーのそれぞれに割り当てる。
【００１１】
１つの態様に係るプログラムは、筐体と、前記筐体に配置されたタッチスクリーンと、前記タッチスクリーンの第１の縁に沿って並ぶ複数の第１のソフトウェアキーと、前記タッチスクリーンの第２の縁に沿って並ぶ複数の第２のソフトウェアキーと、前記第１の縁に沿って並ぶ複数の物理キーと、を備える電子機器に、「Ｑ」「Ｗ」「Ｅ」「Ｒ」「Ｔ」「Ｙ」「Ｕ」「Ｉ」「Ｏ」「Ｐ」の文字を、複数の前記物理キーのそれぞれに割り当て、「Ａ」「Ｓ」「Ｄ」「Ｆ」「Ｇ」「Ｈ」「Ｊ」「Ｋ」「Ｌ」の文字を、複数の前記第１のソフトウェアキーのそれぞれに割り当て、「Ｚ」「Ｘ」「Ｃ」「Ｖ」「Ｂ」「Ｎ」「Ｍ」の文字を、複数の前記第２のソフトウェアキーのそれぞれに割り当てる処理を実行させる。
【００１２】
１つの態様に係るプログラムは、筐体と、前記筐体に配置されたタッチスクリーンと、前記タッチスクリーンの第１の縁に沿って並ぶ複数の第１のソフトウェアキーと、前記タッチスクリーンの第２の縁に沿って並ぶ複数の第２のソフトウェアキーと、前記第１の縁に沿って並ぶ複数の物理キーと、を備える電子機器に、「Ｑ」「Ｗ」「Ｅ」「Ｒ」「Ｔ」「Ｙ」「Ｕ」「Ｉ」「Ｏ」「Ｐ」の文字を、複数の前記第２のソフトウェアキーのそれぞれに割り当て、「Ａ」「Ｓ」「Ｄ」「Ｆ」「Ｇ」「Ｈ」「Ｊ」「Ｋ」「Ｌ」の文字を、複数の前記第１のソフトウェアキーのそれぞれに割り当て、「Ｚ」「Ｘ」「Ｃ」「Ｖ」「Ｂ」「Ｎ」「Ｍ」の文字を、複数の前記物理キーのそれぞれに割り当てる処理を実行させる。
【００１３】
１つの態様に係るプログラムは、筐体と、前記筐体に配置されたタッチスクリーンと、前記タッチスクリーンの第１の縁に沿って並ぶ複数の第１のソフトウェアキーと、前記タッチスクリーンの第２の縁に沿って並ぶ複数の第２のソフトウェアキーと、を備える電子機器に、「Ｑ」「Ｗ」「Ｅ」「Ｒ」「Ｔ」「Ｙ」「Ｕ」「Ｉ」「Ｏ」「Ｐ」の行を、複数の前記第１のソフトウェアキーのうち前記第１のソフトウェアキーの１つに、割り当てて、「Ａ」「Ｓ」「Ｄ」「Ｆ」「Ｇ」「Ｈ」「Ｊ」「Ｋ」「Ｌ」の行を、複数の前記第１のソフトウェアキーのうち前記第１のソフトウェアキーの１つに、割り当てて、「Ｚ」「Ｘ」「Ｃ」「Ｖ」「Ｂ」「Ｎ」「Ｍ」の行を、複数の前記第１のソフトウェアキーのうち前記第１のソフトウェアキーの１つに、割り当て、該「Ｑ」「Ｗ」「Ｅ」「Ｒ」「Ｔ」「Ｙ」「Ｕ」「Ｉ」「Ｏ」「Ｐ」の行を割り当てられた前記第１のソフトウェアキーの操作を検出すると、「Ｑ」「Ｗ」「Ｅ」「Ｒ」「Ｔ」「Ｙ」「Ｕ」「Ｉ」「Ｏ」「Ｐ」の文字を、複数の前記第２のソフトウェアキーのそれぞれに割り当て、該「Ａ」「Ｓ」「Ｄ」「Ｆ」「Ｇ」「Ｈ」「Ｊ」「Ｋ」「Ｌ」の行を割り当てられた前記第１のソフトウェアキーの操作を検出すると、「Ａ」「Ｓ」「Ｄ」「Ｆ」「Ｇ」「Ｈ」「Ｊ」「Ｋ」「Ｌ」の文字を、複数の前記第２のソフトウェアキーのそれぞれに割り当て、該「Ｚ」「Ｘ」「Ｃ」「Ｖ」「Ｂ」「Ｎ」「Ｍ」の行を割り当てられた前記第１のソフトウェアキーの操作を検出すると、「Ｚ」「Ｘ」「Ｃ」「Ｖ」「Ｂ」「Ｎ」「Ｍ」の文字を、複数の前記第２のソフトウェアキーのそれぞれに割り当てる処理を実行させる。
【図面の簡単な説明】
【００１４】
【図１】図１は、実施形態に係る電子機器の機能構成の一例を示すブロック図である。
【図２】図２は、タッチスクリーンにおける検出構成の例を示す図である。
【図３】図３は、実施形態に係るキーユニットの配置例を示す図である。
【図４】図４は、実施形態に係るタッチスクリーンの配置例を示す図である。
【図５】図５は、実施形態に係るタッチスクリーンの構造の一例を示す図である。
【図６】図６は、第１キーデータの一例を示す図である。
【図７】図７は、第２キーデータの一例を示す図である。
【図８】図８は、実施形態に係るキー配列構成の一例を示す図である。
【図９】図９は、実施形態に係るキー配列構成の一例を示す図である。
【図１０】図１０は、実施形態に係る文字入力処理の一例を説明するための図である。
【図１１】図１１は、実施形態に係る電子機器による制御の一例の処理手順を示すフローチャートである。
【図１２】図１２は、実施形態に係る電子機器の機能構成の一例を示すブロック図である。
【図１３】図１３は、実施形態に係るキーユニットの配置例を示す図である。
【図１４】図１４は、実施形態に係るキー構成の一例を示す図である。
【図１５】図１５は、実施形態に係る電子機器による文字入力処理に係る他の一例を示す図である。
【図１６】図１６は、実施形態に係る文字入力処理の他の一例を説明するための図である。
【図１７】図１７は、実施形態に係る電子機器による制御の他の一例の処理手順を示すフローチャートである。
【図１８】図１８は、実施形態に係るキーユニットの配置例を示す図である。
【図１９】図１９は、電子機器が備える複数の物理キーの他の配置例を示す図である。
【図２０】図２０は、電子機器が備える複数の物理キーの他の配置例を示す図である。
【図２１】図２１は、実施形態に係る電子機器が備える物理キーの操作面に関する他の構造例を示す図である。
【図２２】図２２は、実施形態に係る電子機器が備える物理キーの操作面に関する他の構造例を示す図である。
【図２３】図２３は、実施形態に係る電子機器の機能構成の他の例を示す図である。
【図２４】図２４は、実施形態に係る電子機器の他の構造例を示す図である。
【図２５】図２５は、実施形態に係る電子機器の他の構造例を示す図である。
【図２６】図２６は、実施形態に係る電子機器の他の構造例を示す図である。
【図２７】図２７は、実施形態に係る電子機器の他の構造例を示す図である。
【図２８】図２８は、実施形態に係る電子機器の他の構造例を示す図である。
【図２９】図２９は、実施形態に係る電子機器の他の構造例を示す図である。
【発明を実施するための形態】
【００１５】
本出願に係る電子機器、制御方法、及びプログラムを実施するための複数の実施形態を、図面を参照しつつ詳細に説明する。
【００１６】
本出願に係る電子機器は、電子機器、モバイルフォン、タブレット、携帯型パソコン、メディアプレイヤ、電子書籍リーダ、ナビゲータ、ウエアラブルデバイス、又はゲーム機等の機器であってよい。
【００１７】
図１は、実施形態に係る電子機器の機能構成の一例を示すブロック図である。以下の説明において、同様の構成要素について同一の符号を付すことがある。以下の説明において、重複する説明は省略することがある。
【００１８】
図１に示すように、電子機器１は、タッチスクリーンディスプレイ２と、物理キーユニット３と、照度センサ４と、近接センサ５と、通信ユニット６と、レシーバ７と、マイク８と、ストレージ９と、コントローラ１０と、スピーカ１１と、カメラ１２と、カメラ１３と、コネクタ１４と、モーションセンサ１５とを含む。
【００１９】
タッチスクリーンディスプレイ２は、ディスプレイ２Ａと、タッチスクリーン２Ｂとを有する。ディスプレイ２Ａ及びタッチスクリーン２Ｂは、例えば、重なって位置してよいし、並んで位置してよいし、離れて位置してよい。ディスプレイ２Ａとタッチスクリーン２Ｂとが重なって位置する場合、例えば、ディスプレイ２Ａの１ないし複数の辺は、タッチスクリーン２Ｂのいずれの辺とも沿っていなくてもよい。
【００２０】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを含む。ディスプレイ２Ａは、文字、画像、記号、及び図形等のオブジェクトを画面内に表示する。ディスプレイ２Ａが表示するオブジェクトを含む画面は、ロック画面と呼ばれる画面、ホーム画面と呼ばれる画面、アプリケーションの実行中に表示されるアプリケーション画面を含む。ホーム画面は、デスクトップ、待受画面、アイドル画面、標準画面、アプリ一覧画面又はランチャー画面と呼ばれることもある。
【００２１】
タッチスクリーン２Ｂは、接触を検出する。コントローラ１０は、電子機器１に対するジェスチャを検出する。具体的には、コントローラ１０は、タッチスクリーン２Ｂと協働することによって、タッチスクリーン２Ｂ（タッチスクリーンディスプレイ２）に対する操作（ジェスチャ）を検出する。
【００２２】
タッチスクリーン２Ｂは、タッチスクリーン２Ｂに対する指、ペン、又はスタイラスペン等の接触又は近接を検出する。タッチスクリーン２Ｂは、複数の指、ペン、又はスタイラスペン等がタッチスクリーン２Ｂに接触又は近接したときのタッチスクリーン２Ｂ上の位置を検出することができる。以下の説明において、タッチスクリーン２Ｂが検出する複数の指、ペン、及びスタイラスペン等がタッチスクリーン２Ｂに接触又は近接した位置を「検出位置」と表記する。タッチスクリーン２Ｂは、タッチスクリーン２Ｂに対する指の接触又は近接を、検出位置とともにコントローラ１０に通知する。タッチスクリーン２Ｂは、検出位置の通知をもって接触又は近接の検出をコントローラ１０に通知してよい。タッチスクリーン２Ｂが行える動作を、タッチスクリーン２Ｂを有するタッチスクリーンディスプレイ２は実行できる。言い換えると、タッチスクリーン２Ｂが行う動作は、タッチスクリーンディスプレイ２が行ってもよい。
【００２３】
コントローラ１０は、タッチスクリーン２Ｂにより検出された接触又は近接、検出位置、検出位置の変化、接触又は近接が継続した時間、接触又は近接が検出された間隔、及び接触が検出された回数の少なくとも１つに基づいて、ジェスチャの種別を判別する。コントローラ１０が行える動作を、コントローラ１０を有する電子機器１は実行できる。言い換えると、コントローラ１０が行う動作は、電子機器１が行ってもよい。ジェスチャは、指を用いて、タッチスクリーン２Ｂに対して行われる操作である。タッチスクリーン２Ｂに対して行われる操作は、タッチスクリーン２Ｂを有するタッチスクリーンディスプレイ２に行われてもよい。コントローラ１０が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００２４】
タッチスクリーン２Ｂの検出方式は、静電容量方式、抵抗膜方式、表面弾性波方式、赤外線方式、及び荷重検出方式等の任意の方式でよい。
【００２５】
図２は、タッチスクリーンにおける検出構成の例を示す図である。例えば、図２に示すように、タッチスクリーン２Ｂは、複数の第１電極２Ｂ１と、複数の第２電極２Ｂ２とを含む。複数の第１電極２Ｂ１は、タッチスクリーン２Ｂの長辺方向に延在する電極である。複数の第２電極２Ｂ２は、タッチスクリーン２Ｂの短辺方向に延在する電極である。複数の第１電極２Ｂ１と複数の第２電極２Ｂ２とは、マトリックス状に交差している。第１電極２Ｂ１と第２電極２Ｂ２とが交差する部分は、タッチスクリーン２Ｂの検出点６０である。タッチスクリーン２Ｂは、複数の検出点６０を含む。複数の検出点６０は、電子機器１がタッチスクリーン２Ｂにおける接触物の接触位置（接触点）を特定する場合に用いられる。複数の検出点６０は、マトリックス状に位置している。
【００２６】
タッチスクリーン２Ｂは、導電性の接触物が第１電極２Ｂ１と第２電極２Ｂ２とに近づくと、当該接触物と電極間に容量結合が発生する。タッチスクリーン２Ｂは、容量結合が発生した電極間の検出点６０の検出値が変化する。図５に示す例では、タッチスクリーン２Ｂは、接触物の接触点７０付近の検出点６０の検出値が、他の検出点６０の検出値よりも大きくなる。このため、電子機器１は、変化した検出点６０の検出値に基づいて、タッチスクリーン２Ｂにおける接触物の接触点７０を検出することができる。
【００２７】
物理キーユニット３は、ユーザからの操作入力を受け付ける。物理キーユニット３は、第１キーユニット３ａ、第２キーユニット３ｂ、及びタッチスクリーン３ｃを有する。
【００２８】
図３及び図４を用いて、実施形態に係る物理キーユニットの配置例を説明する。図３は、実施形態に係るキーユニットの配置例を示す図である。図４は、実施形態に係るタッチスクリーンの配置例を示す図である。
【００２９】
実施形態に係る電子機器１は略直方体状の筐体１ｈを備え、電子機器１の平面は、図３に示すように略長方形状の形態をなす。第１キーユニット３ａは、図３に示す物理キー３ａ１、・・・、物理キー３ａ１０の合計１０個の物理キーを含む。物理キー３ａ１、・・・、物理キー３ａ１０は、図３中電子機器１の筐体１ｈの右辺側の縁Ｆ２に沿って、図３に示すｙ軸に平行な方向に１列に並んで配置される。第２キーユニット３ｂは、図３に示す物理キー３ｂ１、物理キー３ｂ２、及び物理キー３ｂ３の合計３個の物理キーを含む。物理キー３ｂ１、物理キー３ｂ２、及び物理キー３ｂ３は、電子機器１の筐体１ｈの底辺側の縁Ｆ３に沿って、図３に示すｘ軸に平行な方向に１列に並んで配置される。なお、本実施形態では、図３に示す電子機器１の筐体１ｈの左辺側の縁Ｆ１に沿って物理キーを配置していないが、配置してもよい。図３に示す第１キーユニット３ａ及び第２キーユニット３ｂのそれぞれを構成する物理キーの個数は一例であり、必ずしも、図３に示す例と同数の物理キーで構成されていなくてもよい。図３に示す例では、物理キー３ａ１、・・・、物理キー３ａ１０は、電子機器１の筐体１ｈの右辺側の縁Ｆ２に沿って配置されるが、タッチスクリーンディスプレイの輪郭を構成する１辺に沿った配置であってよい。例えば、物理キー３ａ１、・・・、物理キー３ａ１０は、電子機器１の筐体１ｈの左辺側の縁Ｆ１に沿って配置してもよい。同様に、物理キー３ｂ１、物理キー３ｂ２、及び物理キー３ｂ３は、タッチスクリーンディスプレイ２Ｂの輪郭を構成する１辺に沿った配置であってよい。つまり、第１キーユニット３ａ及び第２キーユニット３ｂは、筐体１ｈの外側の辺に沿って配置しても、筐体１ｈのタッチスクリーンディスプレイ２Ｂ側の辺、筐体１ｈとタッチスクリーンディスプレイ２Ｂとの境界に沿って配置してもよい。
【００３０】
第１キーユニット３ａを構成する物理キー３ａ１、・・・、物理キー３ａ１０は、キーの押下を検出できる。第２キーユニット３ｂを構成する物理キー３ｂ１、物理キー３ｂ２、及び物理キー３ｂ３は、キーの押下を検出できる。第１キーユニット３ａ及び第２キーユニット３ｂを構成する各物理キーに対する押下の検出は、各物理キーが個別に行ってよい。第１キーユニット３ａ及び第２キーユニット３ｂを構成する各物理キーは、各物理キーの表面の質感を電子機器１の他の部材とは異なる質感を持つように構成してもよい。第１キーユニット３ａ及び第２キーユニット３ｂを構成する各物理キーは、各物理キーの表面の形状として、円柱型、直方体型、屋根型などの任意の形状を採用してよい。第１キーユニット３ａ及び第２キーユニット３ｂを構成する各物理キーは、２段階以上の押下が可能な構成であってよい。第１キーユニット３ａを構成する物理キー３ａ１、・・・、物理キー３ａ１０は、第１の物理キーの一例である。
【００３１】
タッチスクリーン３ｃは、図４に示すように、タッチスクリーン３ｃａ及びタッチスクリーン３ｃｂを含む。タッチスクリーン３ｃａは、図４に示すｙ軸に平行な方向に沿って、電子機器１の長手方向に延在するように第１キーユニット３ａの下に配置される。タッチスクリーン３ｃｂは、図４に示すｘ軸に平行な方向に沿って、電子機器１の短手方向に延在するように第２キーユニット３ｂの下に配置される。タッチスクリーン３ｃａは、第１キーユニット３ａに対する指などの導電性の物体の接触及び近接などを検出できる。タッチスクリーン３ｃｂは、第２キーユニット３ｂに対する指などの導電性の物体の接触及び近接などを検出できる。
【００３２】
図５を用いて、実施形態に係るタッチスクリーン３ｃの構造の一例を説明する。図５は、実施形態に係るタッチスクリーン３ｃの構造の一例を示す図である。図５は、タッチスクリーン３ｃが備えるタッチスクリーンのうちのタッチスクリーン３ｃａの構造の一部を示している。図５に示すように、タッチスクリーン３ｃａは、複数の第１の電極４０ａ１と、複数の第２の電極４０ａ２とを含む。第１の電極４０ａ１は、タッチスクリーン３ｃａの短手方向に延在する。第２の電極４０ａ２は、タッチスクリーン３ｃａの長手方向に延在する。タッチスクリーン３ｃａは、複数の第１の電極４０ａ１と複数の第２の電極４０ａ２とを、格子状に交差させた状態で配置する。タッチスクリーン３ｃａは、複数の第１の電極４０ａ１と複数の第２の電極４０ａ２とが交差する各位置（検出点）で、第１キーユニット３ａに対する指などの接触又は近接を検出する。導電性の物体がタッチスクリーン３ｃａに接近すると、タッチスクリーン３ｃａと当該物体との間に容量結合が発生する。タッチスクリーン３ｃａは、容量結合を検出点で感知することにより、指などの導電性の物体の接触などを検出する。図４に示す例では、第１キーユニット３ａを構成する物理キー３ａ１、・・・、物理キー３ａ１０を設置するためのキーホール４０ａ３が設けられることを原因として、複数の第１の電極４０ａ１と複数の第２の電極４０ａ２とが格子状に交差されずに、不均一な状態で配置される箇所が存在するが、コントローラ１０による処理において検出点の校正を実行できる。タッチスクリーン３ｃの検出方式は、タッチスクリーン２Ｂと同様に、静電容量方式、抵抗膜方式、表面弾性波方式、赤外線方式、及び荷重検出方式等の任意の方式でよい。
【００３３】
コントローラ１０は、タッチスクリーン３ｃａの検出結果に基づいて、第１キーユニット３ａを構成する物理キー３ａ１、・・・、物理キー３ａ１０の中のいずれのキーが接触されたかを判別できる。コントローラ１０は、第１キーユニット３ａの検出結果に基づいて、第１キーユニット３ａを構成する物理キー３ａ１、・・・、物理キー３ａ１０の中のいずれのキーが押下されたかを判別できる。コントローラ１０は、タッチスクリーン３ｃｂの検出結果に基づいて、第２キーユニット３ｂを構成する物理キー３ｂ１、物理キー３ｂ２、及び物理キー３ｂ３の中のいずれのキーが接触されたかを判別できる。コントローラ１０は、第２キーユニット３ｂの検出結果に基づいて、第２キーユニット３ｂを構成する物理キー３ｂ１、物理キー３ｂ２、及び物理キー３ｂ３の中のいずれのキーが押下されたかを判別できる。
【００３４】
コントローラ１０は、例えば、タッチスクリーン３ｃを介して、第１キーユニット３ａを構成する物理キーに対するタッチ、及び第２キーユニット３ｂを構成する物理キーに対するタッチの両方を検出した場合には、最新のタッチに対する処理を優先して実行できる。コントローラ１０は、第１キーユニット３ａを構成する物理キーに対するタッチ、及び第２キーユニット３ｂを構成する物理キーに対するタッチの両方を検出している状態で、タッチスクリーン２Ｂなどを介して、第１キーユニット３ａ及び第２キーユニット３ｂ以外へのタッチが検出された場合には、第１キーユニット３ａ及び第２キーユニット３ｂ以外へのタッチを無効な操作として取り扱うことができる。また、コントローラ１０は、例えば、タッチスクリーン３ｃを介して、第１キーユニット３ａを構成する物理キーに対するタッチ、及びタッチスクリーン２Ｂに対するタッチの両方を検出した場合には、最新のタッチに対する処理を優先して実行できる。このように、コントローラ１０は、タッチスクリーン２Ｂに対するタッチと、タッチスクリーン３ｃに対するタッチの両方を検出した場合も、最新のタッチに対する処理を優先して実行する。
【００３５】
コントローラ１０は、例えば、タッチスクリーン３ｃを介して、第１キーユニット３ａを構成する物理キー、及び第２キーユニット３ｂを構成する物理キーに対するロングタッチ、タップ、ダブルタップ、スライドなどのタッチジェスチャを検出してもよい。
【００３６】
照度センサ４は、照度を検出する。照度は、照度センサ４の測定面の単位面積に入射する光束の値である。照度センサ４は、例えば、ディスプレイ２Ａの輝度の調整に用いられる。
【００３７】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２Ａと顔とが接近したことを検出する。照度センサ４及び近接センサ５は、１つのセンサとして構成されていてもよい。照度センサ４は、近接センサとして用いられてもよい。
【００３８】
通信ユニット６は、無線により通信する。通信ユニット６によってサポートされる無線通信規格には、例えば、２Ｇ、３Ｇ、４Ｇ、５Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。ＷＰＡＮの通信規格には、例えば、ＺｉｇＢｅｅ（登録商標）が含まれる。通信ユニット６は、上述した通信規格の１つ又は複数をサポートしていてもよい。
【００３９】
レシーバ７は、コントローラ１０から送出される音信号を音として出力する。レシーバ７は、例えば、電子機器１にて再生される動画の音、音楽の音、及び通話時の相手の声を出力することができる。マイク８は、入力されるユーザの声等を音信号へ変換してコントローラ１０へ送信する。
【００４０】
ストレージ９は、プログラム及びデータを記憶する。ストレージ９は、コントローラ１０の処理結果を一時的に記憶する作業領域として利用されてもよい。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００４１】
ストレージ９に記憶されるプログラムには、フォアグランド又はバックグランドで実行されるアプリケーションと、アプリケーションの動作を支援する支援プログラム（図示略）とが含まれる。アプリケーションは、例えば、フォアグランドで実行される場合、当該アプリケーションに係る画面を、ディスプレイ２Ａに表示する。支援プログラムには、例えば、ＯＳが含まれる。プログラムは、通信ユニット６による無線通信又は非一過的な記憶媒体を介してストレージ９にインストールされてもよい。
【００４２】
ストレージ９は、制御プログラム９Ａ、文字入力制御プログラム９Ｂ、第１キーデータ９Ｃは、第２キーデータ９Ｄ、条件データ９Ｅ、及び設定データ９Ｚなどを記憶できる。制御プログラム９Ａは、各種機能を提供するに際し、電子機器１が記憶する各種アプリケーションと連携できる。制御プログラム９Ａは、通信ユニット６を介してクラウドストレージと連携し、当該クラウドストレージが記憶するファイル及びデータにアクセスしてもよい。クラウドストレージは、ストレージ９に記憶されるプログラム及びデータの一部又は全部を記憶してもよい。
【００４３】
制御プログラム９Ａは、電子機器１の各種動作に関する処理を実現するための機能をそれぞれ提供できる。制御プログラム９Ａが提供する機能には、照度センサ４の検出結果に基づいて、ディスプレイ２Ａの輝度を調整する機能が含まれる。制御プログラム９Ａが提供する機能には、近接センサ５の検出結果に基づいて、タッチスクリーン２Ｂに対する操作を無効とする機能が含まれる。制御プログラム９Ａが提供する機能には、通信ユニット６、レシーバ７、及びマイク８等を制御することによって、通話を実現させる機能が含まれる。制御プログラム９Ａが提供する機能には、カメラ１２、及びカメラ１３の撮影処理を制御する機能が含まれる。制御プログラム９Ａが提供する機能には、コネクタ１４を介して接続される外部機器との間の通信を制御する機能が含まれる。制御プログラム９Ａが提供する機能には、タッチスクリーン２Ｂの検出結果に基づいて判別したジェスチャに応じて、ディスプレイ２Ａに表示されている情報を変更する等の各種制御を行う機能が含まれる。制御プログラム９Ａが提供する機能には、モーションセンサ１５の検出結果に基づいて、電子機器１を携帯する利用者の移動、停止等を検出する機能が含まれる。
【００４４】
文字入力制御プログラム９Ｂは、電子機器１において実行される文字入力を制御するための機能を提供できる。文字入力制御プログラム９Ｂは、例えば、第１キーユニット３ａ、第２キーユニット３ｂ及びタッチスクリーン２Ｂ等に対する操作を検出すると、操作が検出された物理キー、ソフトウェアキー（ソフトキー、仮想キー）に対応付けられた情報に基づいて処理を実行する機能を提供できる。文字入力制御プログラム９Ｂは、対象となる情報を読み上げる機能を提供できる。文字入力制御プログラム９Ｂは、第１キーユニット３ａ及びソフトウェアキーの少なくとも１つに、キーボードの配置に基づいて文字を割り当てる機能を提供できる。
【００４５】
第１キーデータ９Ｃは、入力プログラム９Ｂで設定される第１キー領域に表示する第１キーの情報を含む。第２キーデータ９Ｄは、入力プログラム９Ｂで設定される第２キー領域に表示する第２キーの情報を含む。第２キーデータ９Ｄは、第１キーデータ９Ｃに対応付けられたキーのデータである。
【００４６】
第１キーデータ９Ｃ及び第２キーデータ９Ｄは、所定のキーボードに対応したキー配列を示す情報を含む。第１キーデータ９Ｃは、キーボードのそれぞれの行に対応する情報を含む。第２キーデータ９Ｄは、第１キーデータ９Ｃの各行に対応する複数のキーの情報を含む。第１キーデータ９Ｃ及び第２キーデータ９Ｄは、第１キーデータ９Ｃの行の情報と、第２キーデータの各行に含まれる複数のキーの情報とを組み合せることで、所定のキーボードに含まれるキーを実現する。実施形態のキー配列は、ＱＷＥＲＴＹ配列を含む。例えば、キー配列は、Ｄｖｏｒａｋ配列、フランス語のＡＺＥＲＴＹ配列、ドイツ語のＱＷＥＲＴＺ配列等のキー配列を含んでもよい。
【００４７】
以下、図６及び図７を用いて、第１キーデータ９Ｃと第２キーデータ９Ｄの一例を説明する。図６は、第１キーデータの一例を示す図である。図７は、第２キーデータの一例を示す図である。図６及び図７は、ＱＷＥＲＴＹ配列のデータの一例である。第１キーデータ９Ｃは、第１ユニットとなる３つのキーと、それぞれのキーに対応する行の情報との対応付けが含まれる。第１ユニットの配列１（第１の行）のキーには、ＱＷＥＲＴＹ配列の１つの行である「ｑ」、「ｗ」、「ｅ」、「ｒ」、「ｔ」、「ｙ」、「ｕ」、「ｉ」、「ｏ」、「ｐ」が含まれる行（「ｑ行」とする）が対応付けられている。第１ユニットの配列２（第２の行）のキーには、ＱＷＥＲＴＹ配列の１つの行である「ａ」、「ｓ」、「ｄ」、「ｆ」、「ｇ」、「ｈ」、「ｊ」、「ｋ」、「ｌ」が含まれる行（「ａ行」とする）が対応付けられている。第１ユニットの配列３（第３の行）のキーには、ＱＷＥＲＴＹ配列の１つの行である「ｓｈｉｆｔ」、「ｚ」、「ｘ」、「ｃ」、「ｖ」、「ｂ」、「ｎ」、「ｍ」、「ｄｅｌｅｔｅ」が含まれる行（「ｚ行」とする）が対応付けられている。
【００４８】
第２キーデータ９Ｄは、第２ユニットに含まれる第２キーに対して、第１キーとの対応が記憶されている。第２キーとして対応付けられている各キーに対応付けられている文字が入力候補となる。第１ユニットの配列１であるｑ行のキーに対応付けられた第２ユニットのキーに対して、「ｑ」、「ｗ」、「ｅ」、「ｒ」、「ｔ」、「ｙ」、「ｕ」、「ｉ」、「ｏ」、「ｐ」の割り当て文字の各々を設定している。第１ユニットの配列２であるａ行のキーに対応付けられた第２ユニットのキーに対して、「ａ」、「ｓ」、「ｄ」、「ｆ」、「ｇ」、「ｈ」、「ｊ」、「ｋ」、「ｌ」の割り当て文字の各々を設定している。第１ユニットの配列３であるｚ行のキーに対応付けられた第２ユニットのキーに対して、「ｓｈｉｆｔ」、「ｚ」、「ｘ」、「ｃ」、「ｖ」、「ｂ」、「ｎ」、「ｍ」、「ｄｅｌｅｔｅ」の割り当て文字の各々を設定している。実施形態の第２キーデータ９Ｄは、第２の行の配列１０及び第３の行の配列１０に、割り当て文字が設定されていない。例えば、キー配列データ９Ｄは、後述する文字入力処理において、物理キー、ソフトウェアキーのそれぞれに対応する出力を実行する際に利用される。
【００４９】
実施形態では、第２キーデータ９Ｄは、第３の行の配列１、第３の行の配列９として、「ｓｈｉｆｔ」、「ｄｅｌｅｔｅ」のキーを割り当てる場合について説明するが、これに限定されない。例えば、第２キーデータ９Ｄは、「ｓｈｉｆｔ」、「ｄｅｌｅｔｅ」のキーを割り当て文字として設定されなくてもよい。すなわち、第２キーデータ９Ｄは、第３の行の配列１〜配列７の各々に対して、「ｚ」、「ｘ」、「ｃ」、「ｖ」、「ｂ」、「ｎ」、「ｍ」の割り当て文字の各々を設定してもよい。
【００５０】
実施形態では、電子機器１は、ＱＷＥＲＴＹ配列の小文字のキー配列を第１キーデータ９Ｃ及び第２キーデータ９Ｄに設定する場合について説明するが、これに限定されない。例えば、電子機器１は、ＱＷＥＲＴＹ配列の大文字のキー配列を、第１キーデータ９Ｃ及び第２キーデータ９Ｄに設定してもよい。
【００５１】
実施形態では、第１キーデータ９Ｃ及び第２キーデータ９Ｄは、３行のキー配列を示す場合について説明するが、これに限定されない。例えば、第２キーデータ９Ｄは、４行よりも多い行のキー配列を示してもよい、例えば、ＱＷＥＲＴＹ配列は、「１」、「２」、「３」、「４」、「５」、「６」、「７」、「８」、「９」、「０」の数字が配列された行を有する。この場合、第１キーデータ９Ｃ及び第２キーデータ９Ｄは、「１」から「０」の数字を含む第４の行を示す情報を含んでもよい。例えば、第１キーデータ９Ｃ及び第２キーデータ９Ｄは、第１の行から第３の行にＱＷＥＲＴＹ配列の小文字のキー配列を設定した場合、第４の行から第６の行として、ＱＷＥＲＴＹ配列の大文字のキー配列を設定してもよい。この場合、第２キーデータ９Ｄは、第４の行の配列１〜１０の各々に対して、「Ｑ」、「Ｗ」、「Ｅ」、「Ｒ」、「Ｔ」、「Ｙ」、「Ｕ」、「Ｉ」、「Ｏ」、「Ｐ」の割り当て文字の各々を設定する。例えば、物理キー３ａ及び物理キー３ｂの少なくとも一方が１０個よりも大きい個数のキーで実現される場合、第２キーデータ９Ｄは、配列１１・・・ｎを示す情報を含んでもよい。ただし、ｎは、１０よりも大きな整数である。
【００５２】
条件データ９Ｅは、文字入力制御プログラム９Ｂで処理を実行する各種条件が設定されている。具体的には、条件データ９Ｅには、文字入力制御プログラム９Ｂの文字入力処理の開始条件、文字入力処理の終了条件等が設定されている。
【００５３】
設定データ９Ｚは、制御プログラム９Ａにより実行される処理に用いられる情報を含む。設定データ９Ｚは、キー配列データ９Ｃの複数の行とキーの種類との関係を示す情報を含む。キー種類は、例えば、第１キーユニット３ａ、第２キーユニット３ｂ、及びソフトウェアキーの種類を含む。キー配列データ９Ｃの複数の行とキーの種類との関係を示す情報は、例えば、利用者が複数の行に対する利用頻度、操作性等に基づいて設定してもよい。
【００５４】
コントローラ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含むが、これらに限定されない。コントローラ１０は、電子機器１の動作を統括的に制御して各種の機能を実現する。
【００５５】
具体的には、コントローラ１０は、ストレージ９に記憶されているプログラムに含まれる命令を実行できる。コントローラ１０は、ストレージ９に記憶されているデータを必要に応じて参照できる。コントローラ１０は、データ及び命令に応じて機能部を制御する。コントローラ１０は、機能部を制御することによって、各種機能を実現する。機能部は、例えば、ディスプレイ２Ａ、通信ユニット６、マイク８、及びスピーカ１１を含むが、これらに限定されない。コントローラ１０は、検出部の検出結果に応じて、制御を変更することがある。検出部は、例えば、タッチスクリーン２Ｂ、物理キーユニット３、照度センサ４、近接センサ５、マイク８、カメラ１２、カメラ１３、モーションセンサ１５を含むが、これらに限定されない。
【００５６】
コントローラ１０は、制御プログラム９Ａを実行することにより、電子機器１の各種動作に関する処理を実現できる。
【００５７】
コントローラ１０は、文字入力制御プログラム９Ｂを実行することにより、電子機器１において実行される文字入力を制御する処理を実現できる。コントローラ１０は、例えば、文字入力制御プログラム９Ｂを実行することにより、物理キー及びソフトウェアキーの少なくとも１つをＱＷＥＲＴＹ配列のキーボードとして用いる処理を実現できる。コントローラ１０は、コントローラの一例である。
【００５８】
スピーカ１１は、コントローラ１０から送出される音信号を音として出力する。スピーカ１１は、例えば、着信音及び音楽を出力するために用いられる。レシーバ７及びスピーカ１１の一方が、他方の機能を兼ねてもよい。
【００５９】
カメラ１２及びカメラ１３は、撮影した画像を電気信号へ変換する。カメラ１２は、ディスプレイ２Ａに面している物体を撮影するインカメラである。カメラ１３は、ディスプレイ２Ａの反対側の面に面している物体を撮影するアウトカメラである。カメラ１２及びカメラ１３は、インカメラ及びアウトカメラを切り換えて利用可能なカメラユニットとして、機能的及び物理的に統合された状態で電子機器１に実装されてもよい。
【００６０】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００６１】
モーションセンサ１５は、電子機器１を携帯する利用者の動作を判定するための各種情報を検出できる。モーションセンサ１５は、加速度センサ、方位センサ、ジャイロスコープ、磁気センサ及び気圧センサなどを備えるセンサユニットとして構成されてよい。
【００６２】
電子機器１は、上記の各機能部の他、ＧＰＳ受信機、及びバイブレータを備えてもよい。ＧＰＳ受信機は、ＧＰＳ衛星からの所定の周波数帯の電波信号を受信する。ＧＰＳ受信機は、受信した電波信号の復調処理を行って、処理後の信号をコントローラ１０に送出する。ＧＰＳ受信機は、電子機器１の現在位置の演算処理をサポートする。電子機器１は、ＧＰＳ衛星以外の測位用人工衛星の信号を受信可能な受信機を備え、現在位置の演算処理を実行してもよい。バイブレータは、電子機器１の一部又は全体を振動させる。バイブレータは、振動を発生させるために、例えば、圧電素子、又は偏心モータなどを有する。電子機器１は、バッテリなど、電子機器１の機能を維持するために当然に用いられる機能部、及び電子機器１の制御を実現するために当然に用いられる制御部を実装する。
【００６３】
電子機器１は、通信ユニット６を介してクラウド上の記憶サーバにアクセスし、各種プログラム及びデータを取得してもよい。
【００６４】
図８及び図９を参照しつつ、実施形態に係る電子機器１の文字入力処理に用いるキー構成の一例を説明する。図８及び図９は、それぞれ実施形態に係るキー構成の一例を示す図である。図８及び図９に示す例は、利用者が電子機器１を横向きにして利用する場合の一例を示している。図９に示す例は、図８に示す例と電子機器１を横向きにする際の向きが逆の場合を示している。
【００６５】
まず、図８に示す例について説明する。電子機器１は、文字入力処理を実行する際、図８に示す画面２０をディスプレイ２Ａに表示する。画面２０は、テキスト表示領域２１と、第１キー領域２２ａと第２キー領域２２ｂとを有する。テキスト表示領域２１は、文字入力処理によって入力された文字、文字列等を表示できる。図８は、辺２Ｃが画面上側の辺となり、辺２Ｄが画面下側の辺となる。
【００６６】
第１キー領域２２ａ及び第２キー領域２２ｂは、タッチスクリーン２Ｂと重なった位置に設けられている。第１キー領域２２ａは、タッチスクリーンディスプレイ２の辺２Ｃに沿って設けられており、辺２Ｃに隣接している。タッチスクリーンディスプレイ２の辺２Ｃは、第１キーユニット３ａが設けられている辺と反対側の辺である。第２キー領域２２ｂは、タッチスクリーンディスプレイ２の辺２Ｄに沿って設けられており、辺２Ｄに隣接している。タッチスクリーンディスプレイ２の辺２Ｄは、第１キーユニット３ａが設けられている辺と同じ側の辺である。つまり、第２キー領域２２ｂと、第１キーユニット３ａとは隣接している。第１キー領域２２ａは、複数の第３キー２ａ１、２ａ２、２ａ３、２ａ４、２ａ５、２ａ６、２ａ７、２ａ８、２ａ９、２ａ１０が表示される。実施形態の複数の第３キー２ａ１、２ａ２、２ａ３、２ａ４、２ａ５、２ａ６、２ａ７、２ａ８、２ａ９、２ａ１０は、辺２Ｃに沿って、画面２０の右側から左側に列状に配置されている。つまり、第２キーユニット３ｂが配置されている端部とは反対側の端部から順に配置されている。複数の第３キー２ａ１、２ａ２、２ａ３、２ａ４、２ａ５、２ａ６、２ａ７、２ａ８、２ａ９、２ａ１０は、図８において第１キー領域２２ａを画面２０の右側から左側に分割した複数の領域となっている。以下の説明では、複数の第３キー２ａ１、２ａ２、２ａ３、２ａ４、２ａ５、２ａ６、２ａ７、２ａ８、２ａ９、２ａ１０を区別しない場合、第３キー２ａと記載する。第２キー領域２２ｂは、複数の第４キー２ｂ１、２ｂ２、２ｂ３、２ｂ４、２ｂ５、２ｂ６、２ｂ７、２ｂ８、２ｂ９、２ｂ１０が表示される。実施形態の複数の第４キー２ｂ１、２ｂ２、２ｂ３、２ｂ４、２ｂ５、２ｂ６、２ｂ７、２ｂ８、２ｂ９、２ｂ１０は、辺２Ｄに沿って、画面２０の右側から左側に列状に配置されている。つまり、第２キーユニット３ｂが配置されている端部とは反対側の端部から順に配置されている。複数の第４キー２ｂ１、２ｂ２、２ｂ３、２ｂ４、２ｂ５、２ｂ６、２ｂ７、２ｂ８、２ｂ９、２ｂ１０は、図８において第２キー領域２２ｂを画面２０の右側から左側に分割した複数の領域となっている。以下の説明では、複数の第４キー２ｂ１、２ｂ２、２ｂ３、２ｂ４、２ｂ５、２ｂ６、２ｂ７、２ｂ８、２ｂ９、２ｂ１０を区別しない場合、第４キー２ｂと記載する。本実施形態の第３キー２ａ、第４キー２ｂは、それぞれ、第２キーデータ９Ｄが示す複数の行のうちの１つの行の配列１〜配列１０の文字を割り当てることができる。また、第３キー２ａ、第４キー２ｂは、割り当てられた文字を示す画像を表示できる。第３キー２ａ、第４キー２ｂは、タッチスクリーンディスプレイ２に並ぶ複数のソフトウェアキーとして機能する。また、第３キー２ａを辺２Ｃに沿って配置することで、利用者は、辺２Ｃに沿って指等を移動させることで第３キー２ａを選択し、操作することができる。また、第４キー２ｂを辺２Ｄに沿って配置することで、利用者は、辺２Ｄに沿って指等を移動させることで第４キー２ｂを選択し、操作することができる。
【００６７】
電子機器１は、文字入力処理の実行により、第１キーデータ９Ｃ、及び第２キーデータ９Ｄに基づいて、第１キーユニットの各キー（第２キー）、第１キー領域２２ａの第３キー２２ａ、第２キー領域の第４キー２２ｂの各々に対して、ＱＷＥＲＴＹ配列の文字を割り当てる。例えば、電子機器１は、キー配列データ９Ｃの第１の行の配列１〜配列１０に設定された文字の各々を、第１キー領域２２ａの第３キー２ａ１０、２ａ９、２ａ８、２ａ７、２ａ６、２ａ５、２ａ４、２ａ３、２ａ２、２ａ１の各々に割り当てる。電子機器１は、第２キーデータ９Ｄの第２の行の配列１〜配列９に設定された文字の各々を、第２キー領域２２ｂの第４キー２ｂ１０、２ｂ９、２ｂ８、２ｂ７、２ｂ６、２ｂ５、２ｂ４、２ｂ３、２ｂ２の各々に割り当てる。電子機器１は、第２キーデータ９Ｄの第３の行の配列１〜配列９に設定された文字の各々を、第１キーユニット３ａの物理キー３ａ１０、３ａ９、３ａ８、３ａ７、３ａ６、３ａ５、３ａ４、３ａ３、３ａ２の各々に割り当てる。
【００６８】
具体的には、電子機器１は、画面２０において、第３キー２ａ１０、２ａ９、２ａ８、２ａ７、２ａ６、２ａ５、２ａ４、２ａ３、２ａ２、２ａ１の各々に、「ｑ」、「ｗ」、「ｅ」、「ｒ」、「ｔ」、「ｙ」、「ｕ」、「ｉ」、「ｏ」、「ｐ」の文字の各々を割り当て、対応する文字を示す画像の各々に表示する。電子機器１は、第４キー２ｂ１０、２ｂ９、２ｂ８、２ｂ７、２ｂ６、２ｂ５、２ｂ４、２ｂ３、２ｂ２の各々に、「ａ」、「ｓ」、「ｄ」、「ｆ」、「ｇ」、「ｈ」、「ｊ」、「ｋ」、「ｌ」の文字の各々を割り当て、対応する文字を示す画像の各々を表示する。また、電子機器１は、第１キーユニット３ａの物理キー３ｂ１０、３ｂ９、３ｂ８、３ｂ７、３ｂ６、３ｂ５、３ｂ４、３ｂ３、３ｂ２に対して、「ｓｈｉｆｔ」、「ｚ」、「ｘ」、「ｃ」、「ｖ」、「ｂ」、「ｎ」、「ｍ」、「ｄｅｌｅｔｅ」の文字の各々を割り当てている。つまり、電子機器１は、画面の向きに基づいて、キーボードと同じ方向及び同じ順序で各キーを対応付けている。
【００６９】
以上のように、図８に示す例では、電子機器１は、文字表示方向の上側から、第１キー領域２２ａの第３キー２ａ、第２キー領域２２ｂの第４キー２ｂ、第１キーユニット３ａの物理キー３ａの順で配置された状態されている。電子機器１は、第１キー領域２２ａの第３キー２ａに、第１行の各キーを割り当て、第２キー領域２２ｂの第４キー２ｂに第２の行の各キーを割り当て、第１キーユニット３ａの物理キー３ａに第３の行の各キーを割り当てる。
【００７０】
図８に示す例では、キーと割り当てられた文字との関係を示すため、各キーに対応付けた文字を示しているが、実際の電子機器１は、第１キーユニット３ａに割り当てられた文字を表示していない。電子機器１は、第１キーユニット３ａに対する仮選択操作を検出すると、仮選択操作を検出した当該キーに割り当てられた文字を音声で読み上げる機能を有する。仮選択操作は、例えば、物理キー、ソフトウェアキー等に対するタッチ、タップ等の操作を含む。例えば、図８に示す場面では、電子機器１は、物理キー３ａ３に対する仮選択操作を検出した場合、物理キー３ａ３に割り当てられている文字「ｚ」の読み上げ音声をスピーカ１１から出力する。なお、電子機器１は、物理キー３に表示機能を設けてもよい。また、キーに表示機能を備えている場合でも、読み上げ機能を実行させるようにしてもよい。本実施形態の電子機器１は、ソフトウェアキーに対しても読み上げ機能を実行させるが、読み上げ機能を実行させなくてもよい。
【００７１】
図８に示す例では、電子機器１は、第１キーユニット３ａの物理キー３ａに割り当てる文字数が物理キー３ａの数よりも少ない場合、物理キー３ａ１０（第２キーユニット３ｂが配置されている側）から詰めて文字を割り当てる場合について説明したがこれに限定されない。例えば、電子機器１は、割り当てる文字数が物理キー３ａの数よりも少ない場合、物理キー３ａ１から詰めて文字を割り当ててもよい。例えば、電子機器１は、割り当てる文字数が物理キー３ａの数よりも少なくとも２つ少ない場合、物理キー３ａ１及び物理キー３ａ１０の両側に文字を割り当てなくてもよい。また、電子機器１は、第１キー領域２２ａの第３キー２ａまたは第２キー領域２２ｂの第４キー２ｂに割り当てる文字数が、第１キー領域２２ａの第３キー２ａまたは第２キー領域２２ｂの第４キー２ｂの数よりも少ない場合も同様である。
【００７２】
次に、図９に示す例について説明する。図９は、辺２Ｄが画面上側の辺となり、辺２Ｃが画面下側の辺となる。図９に示す画面２０も、テキスト表示領域２１と、第１キー領域２２ａと第２キー領域２２ｂとを有する。
【００７３】
電子機器１は、文字入力処理の実行により、第１キーデータ９Ｃ、及び第２キーデータ９Ｄに基づいて、第１キーユニットの各キー（第２キー）、第１キー領域２２ａの第３キー２２ａ、第２キー領域の第４キー２２ｂの各々に対して、ＱＷＥＲＴＹ配列の文字を割り当てる。図９に示すように、辺２Ｄが画面上側の辺となり、辺２Ｃが画面下側の辺となる向きで画面を表示させている場合、電子機器１は、第１キーユニット３ａの物理キー３ａ１、３ａ２、３ａ３、３ａ４、３ａ５、３ａ６、３ａ７、３ａ８、３ａ９、３ａ１０に「ｑ」、「ｗ」、「ｅ」、「ｒ」、「ｔ」、「ｙ」、「ｕ」、「ｉ」、「ｏ」、「ｐ」の文字の各々を割り当てる。電子機器１は、画面２０において、第４キー２ｂ１、２ｂ２、２ｂ３、２ｂ４、２ｂ５、２ｂ６、２ｂ７、２ｂ８、２ｂ９、の各々に、「ａ」、「ｓ」、「ｄ」、「ｆ」、「ｇ」、「ｈ」、「ｊ」、「ｋ」、「ｌ」の文字の各々を割り当て、対応する文字を示す画像の各々を表示する。電子機器１は、画面２０において、第３キー２ａ１、２ａ２、２ａ３、２ａ４、２ａ５、２ａ６、２ａ７、２ａ８、２ａ９の各々に対して、「ｓｈｉｆｔ」、「ｚ」、「ｘ」、「ｃ」、「ｖ」、「ｂ」、「ｎ」、「ｍ」、「ｄｅｌｅｔｅ」の文字の各々を割り当て、対応する文字を示す画像の各々を表示する。つまり、電子機器１は、画面の向きに基づいて、キーボードと同じ方向及び同じ順序で各キーを対応付けている。ここで、図９に示す画面２０は、文字の表示方向が図８に示す画面２０とは逆方向になっている。したがって、図９に示す画面２０は、各ソフトウェアキーに表示する文字の向きも図８に示す画面２０のソフトウェアキーとは逆方向になっている。
【００７４】
以上のように、図９に示す例では、電子機器１は、文字表示方向の上側から、第１キーユニット３ａの物理キー３ａ、第２キー領域２２ｂの第４キー２ｂ、第１キー領域２２ａの第３キー２ａの順で配置された状態されている。電子機器１は、第１キーユニット３ａの物理キー３ａ第１行の各キーを割り当て、第２キー領域２２ｂの第４キー２ｂに、第２の行の各キーを割り当て、第１キー領域２２ａの第３キー２ａに第３の行の各キーを割り当てる。このように、電子機器１は、画面の向きによって、第１キーユニットの各キー（第２キー）、第１キー領域２２ａの第３キー２ａ、第２キー領域２２ｂの第４キー２ｂの各々に対して、割り当てるキーボードの行を変えることができる。
【００７５】
図１０は、実施形態に係る文字入力処理の一例を説明するための図である。図８及び図１０を用いて、電子機器１の文字入力処理に関する制御の一例を説明する。例えば、設定データ９Ｚは、第１キーデータ９Ｃが示す第１の行、第２の行、第３の行の各々と、第１キーユニット３ａ、第１キー領域２２ａのキー、第２キー領域２２ｂのキーの各々とが対応している。この場合、電子機器１は、文字入力制御プログラム９Ｂを実行すると、図８に示すように、第１キーユニット３ａ、第３キー２ａ及び第４キー２ｂの各々に対して、第１キーデータ９Ｃ及び第２キーデータ９Ｄが示す各行の文字の各々をそれぞれの行のキーに割り当てる。電子機器１は、第３キー２ａ、第４キー２ｂを含む画面２０をタッチスクリーンディスプレイ２に表示する。
【００７６】
図１０に示すステップＳ１１では、利用者は、第１キー領域のキー２ａ８に対して仮選択操作を行っている。電子機器１は、ステップＳ１１として、タッチスクリーン２Ｂを介して、第１キー領域のキー２ａ８に対する仮選択操作を検出すると、キー２ａ８に対応する出力を実行する。具体的には、電子機器１は、キー２ａ８に割り当てられている文字「ｅ」の読み上げ音声Ｍ１１をスピーカ１１から出力する。この場合、電子機器１は、キー２ａ８を仮選択状態とする。
【００７７】
ステップＳ１２では、利用者は、第１キー領域のキー２ａ８に対して決定操作を行っている。決定操作は、例えば、第１キー領域のキー２ａ８を仮選択した状態で、第２キーユニット３ｂに対する押下、ロングタッチ等の操作を含む。電子機器１は、ステップＳ１２として、タッチスクリーン３ｃを介して、第２キーユニット３ｂの物理キー３ｂ１に対する決定操作を検出すると、第１キー領域のキー２ａ８に割り当てられている文字「ｅ」の入力を確定し、テキスト表示領域２１に文字「ｅ」の入力データを表示する。
【００７８】
ステップＳ１３では、利用者は、第１キーユニット３ａの物理キー３ａ１０に対して仮選択操作を行っている。電子機器１は、ステップＳ１３として、タッチスクリーン３ｃを介して、第１キーユニット３ａの物理キー３ａ１０に対する仮選択操作を検出すると、物理キー３ａ１０に対する出力を実行する。具体的には、電子機器１は、物理キー３ａ１０に割り当てられている文字「ｓｈｉｆｔ」の読み上げ音声Ｍ１２をスピーカ１１から出力する。この場合、電子機器１は、物理キー３ａ１０を仮選択状態とする。
【００７９】
ステップＳ１４では、利用者は、第２キー領域２２ｂの第４キー２ｂ５に対して仮選択操作を行っている。電子機器１は、ステップＳ１４として、タッチスクリーン２Ｂを介して、第２キー領域２２ｂの第４キー２ｂ５に対する仮選択操作を検出すると、第２キー領域２２ｂの第４キー２ｂ５に対応する出力を実行する。具体的には、電子機器１は、物理キー３ａ１０が仮選択状態であり、第４キー２ｂ５に文字「ｈ」が割り当てられているため、例えば「ｌａｒｇｅ  ｈ」の読み上げ音声Ｍ１３をスピーカ１１から出力する。この場合、電子機器１は、物理キー３ａ１０及び第２キー領域２２ｂの第４キー２ｂ５を仮選択状態とする。
【００８０】
ステップＳ１５では、利用者は、第１キーユニット３ａの物理キー３a１０及び第２キー領域２２ｂの第４キー２ｂ５に対する仮選択操作を維持した状態で、第２キーユニット３ｂの物理キー３ｂ１に対して決定操作を行っている。電子機器１は、ステップＳ１５として、タッチスクリーン３ｃを介して、第２キーユニット３ｂの物理キー３ｂ１に対する決定操作を検出すると、第４キー２ｂ５に割り当てられている文字「ｈ」の大文字入力を確定する。電子機器１は、テキスト表示領域２１に文字「ｅＨ」の入力データを表示する。
【００８１】
図１０に示す例では、第４キー２ｂを操作する場合としたが、物理キー３ａを操作する場合、第３キー２ａを操作する場合も同様である。また、図１０に示す例では、大文字を入力させる場合、電子機器１は、Ｓｈｉｆｔ機能が割り当てられた物理キー３ａ１０の仮選択操作を利用者に維持させた状態で、第４キー２ｂを操作させる場合について説明したが、これに限定されない。例えば、大文字を入力させる場合、電子機器１は、Ｓｈｉｆｔ機能が割り当てられた物理キー３ａ１０の仮選択操作を利用者に維持させることなく、第４キー２ｂを操作させてもよい。この場合、利用者は、物理キー３ａ１０の仮選択操作を行うと物理キー３ａ１０から指を離し、離した指で第４キー２ｂに対する操作を行えばよい。
【００８２】
図１０に示す例では、大文字を入力させる場合、電子機器１は、Ｓｈｉｆｔが割り当てられた物理キー３ａ１０に対する操作を利用者に実行させ、その後、第４キー２ｂを操作させる場合について説明したが、これに限定されない。例えば、大文字を入力させる場合、電子機器１は、最初に第４キー２ｂを操作させ、その後、ｓｈｉｆｔが割り当てられた物理キー３ａ１０を操作させてもよい。例えば、電子機器１は、第４キー２ｂに対する操作が維持された場合に、ｓｈｉｆｔが割り当てられた物理キー３ａ１０の操作を検出すると、第４キー２ｂに割り当てられた文字の大文字を入力できるようにしてもよい。例えば、電子機器１は、第４キー２ｂに対する操作を検出し、所定の時間以内に、ｓｈｉｆｔが割り当てられた物理キー３ａ１０の操作を検出すると、第４キー２ｂに割り当てられた文字の大文字を入力できるようにしてもよい。
【００８３】
図１０に示す例では、電子機器１は、Ｓｈｉｆｔ機能を物理キー３ａ１０に割り当てる場合について説明したが、これに限定されない。例えば、電子機器１は、Ｓｈｉｆｔ機能を物理キー３ａ１０ではなく、第２キーユニット３ｂのいずれかの物理キーに割り当ててもよい。例えば、Ｓｈｉｆｔ機能を物理キー３ｂ２に割り当てる場合、電子機器１は、Ｓｈｉｆｔが割り当てられた物理キー３ｂ２に対する操作を利用者に実行させ、その後、第４キー２ｂを操作させてもよい。例えば、Ｓｈｉｆｔ機能及び決定機能を物理キー３ｂ２に割り当てる場合、電子機器１は、最初に第４キー２ｂを操作させ、その後、Ｓｈｉｆｔが割り当てられた物理キー３ｂ２に対する操作を利用者に実行させてもよい。この場合、電子機器１は、Ｓｈｉｆｔ機能及び決定機能を割り当てた物理キー３ｂ２に対する操作を検出した場合に、大文字の入力を確定できる。その結果、利用者は、物理キー３ｂ２を操作した後に、決定操作をするために他の物理キーに対する操作が不要となる。
【００８４】
以上により、電子機器１は、第１キーユニット３ａとソフトウェアキーである第３キー２ａ及び第４キー２ｂに、ＱＷＥＲＴＹ配列のキーを示す文字を割り当てることができる。その結果、利用者は、筐体１ｈの辺に沿って並ぶ第１キーユニット３ａ、第３キー２ａ及び第４キー２ｂに基づいてＱＷＥＲＴＹ配列の各キーの位置を推測することができる。つまり、タッチスクリーン３ｂの各縁と、筐体１ｈの縁のそれぞれに沿ってキーを配置することで、各行の位置を把握しやすくすることができる。これにより、電子機器１は、ＱＷＥＲＴＹ配列のキーの位置をわかりやすくできるため、ＱＷＥＲＴＹ配列のキーを用いた文字入力の操作性を向上させることができる。また、電子機器１は、第１キーユニット３ａの物理キーと第３キー２ａ及び第４キー２ｂとに割り当てられた文字を、音声によって利用者に通知することで、どのキーを選択しているかを確実に理解することができる。
【００８５】
図１１は、実施形態に係る電子機器１による制御の一例の処理手順を示すフローチャートである。図１１に示す処理手順は、コントローラ１０が文字入力制御プログラム９Ｂを実行することによって実現される。図１１に示す処理手順は、利用者によって文字入力が要求された状態でコントローラ１０によって実行される処理である。
【００８６】
図１１に示すように、電子機器１のコントローラ１０は、第１キーデータ９Ｃ及び第２キーデータ９Ｄに基づく割り当て処理を実行する（ステップＳ１０１）。例えば、コントローラ１０は、割り当て処理を実行すると、設定データ９Ｚに基づいて、キー配列データ９Ｃの複数の行と第１キーユニット３ａ及び第３キー２ａ及び第４キー２ｂとの対応関係を特定する。続いて、コントローラ１０は、特定した対応関係に基づいて、第１キーユニット３ａ及び第３キー２ａ及び第４キー２ｂの各々に、キー配列データ９Ｃの複数の行が示す配列の文字の各々を割り当てる。続いて、コントローラ１０は、複数の第３キー２ａ及び第４キー２ｂに割り当てた文字を示す画像を、複数の第３キー２ａ及び第４キー２ｂごとに表示させる。コントローラ１０は、割り当て処理を終了すると、処理をステップＳ１０２に進める。
【００８７】
コントローラ１０は、タッチスクリーン２Ｂ、タッチスクリーン３ｃｄの検出結果に基づいて、第１キーユニット３ａ、第３キー２ａまたは第４キー２ｂに対する操作を検出したか否かを判定する（ステップＳ１０２）。コントローラ１０は、第１キーユニット３ａ及び第３キー２ａ及び第４キー２ｂに対する仮選択操作を検出したと判定した場合（ステップＳ１０２でＹｅｓ）、処理をステップＳ１０３に進める。
【００８８】
コントローラ１０は、検出した操作が仮選択操作であるか否かを判定する（ステップＳ１０３）。例えば、コントローラ１０は、第１キーユニット３ａ及び第３キー２ａ及び第４キー２ｂに対するタッチ、タップ等の操作であった場合、検出した操作が仮選択操作であると判定する。コントローラ１０は、検出した操作が仮選択操作ではないと判定した場合（ステップＳ１０３でＮｏ）、処理を後述するステップＳ１０６に進める。コントローラ１０は、検出した操作が仮選択操作であると判定した場合（ステップＳ１０３でＹｅｓ）、処理をステップＳ１０４に進める。
【００８９】
コントローラ１０は、仮選択操作を検出したキーに対応する出力処理を実行する（ステップＳ１０４）。例えば、出力処理は、コントローラ１０が仮選択操作を検出したキーに割り当てられている文字の読み上げ音声をスピーカ１１から出力させる処理を含む。例えば、出力処理は、仮選択操作を検出したキーが第３キー２ａまたは第４キー２ｂである場合に、コントローラ１０が第３キー２ａまたは第４キー２ｂの該当するキーの表示態様を変更させる処理を含む。コントローラ１０は、出力処理が終了すると、仮選択操作を検出したキーを仮選択状態に遷移させる（ステップＳ１０５）。仮選択操作を検出したキーとは、仮選択操作を検出した物理キーまたは第４キー２ｂである。
【００９０】
コントローラ１０は、文字入力を終了するか否かを判定する（ステップＳ１０６）。例えば、コントローラ１０は、文字入力の終了操作、終了タイミング等を検出した場合に、文字入力を終了すると判定する。コントローラ１０は、文字入力を終了しないと判定した場合（ステップＳ１０６でＮｏ）、処理を既に説明したステップＳ１０２に戻す。コントローラ１０は、文字入力を終了すると判定した場合（ステップＳ１０６でＹｅｓ）、処理をステップＳ１０７に進める。
【００９１】
コントローラ１０は、入力データの保存処理を実行する（ステップＳ１０７）。例えば保存処理は、利用者が入力データの保存を希望する場合、コントローラ１０が入力データをストレージ９に記憶する処理を含む。例えば、保存処理は、利用者が入力データの保全を希望しない場合、コントローラ１０が入力データを消去する処理を含む。例えば、保存処理は、コントローラ１０がディスプレイ２Ａに表示している画面を消去させる処理を含む。コントローラ１０は、保存処理の実行が終了すると、図１１に示す処理手順を終了させる。
【００９２】
コントローラ１０は、第１キーユニット３ａまたは第３キー２ａ及び第４キー２ｂに対する仮選択操作を検出していないと判定した場合（ステップＳ１０２でＮｏ）、処理をステップＳ１０８に進める。コントローラ１０は、タッチスクリーン３ｃの検出結果に基づいて、第２キーユニット３ｂに対する決定操作を検出したか否かを判定する（ステップＳ１０８）。例えば、コントローラ１０は、第２キーユニット３ｂに対する押下、ロングタッチ等の操作を検出した場合、検出した操作が決定操作であると判定する。コントローラ１０は、第２キーユニット３ｂに対する決定操作を検出していないと判定した場合（ステップＳ１０８でＮｏ）、処理を既に説明したステップＳ１０６に進める。コントローラ１０は、第２キーユニット３ｂに対する決定操作を検出したと判定した場合（ステップＳ１０８でＹｅｓ）、処理をステップＳ１０９に進める。
【００９３】
コントローラ１０は、仮選択状態のキーに対応する文字の入力を確定する（ステップＳ１０９）。例えば、コントローラ１０は、確定した文字を入力データとして一時的にストレージ９に記憶できる。コントローラ１０は、キーの仮選択状態を解除する（ステップＳ１１０）。コントローラ１０は、キーの仮選択状態を解除すると、処理を既に説明したステップＳ１０６に進める。
【００９４】
次に、電子機器１が実行する文字入力処理の他の一例について説明する。図１２は、実施形態に係る電子機器の機能構成の一例を示すブロック図である。図１３は、実施形態に係るキーユニットの配置例を示す図である。図１２及び図１３に示す電子機器１は、物理キーユニット３として、第２キーユニット３ｂのみが配置されている点を除いて他の構成は、図１及び図３に示す電子機器１と同様である。図１２及び図１３に示す電子機器１の物理キーユニット３の第２キーユニット３ｂは、図１及び図３に示す電子機器１の第２キーユニット３ｂと同様の位置に配置されている。第２キーユニット３ｂは、図１３に示す物理キー３ｂ１、物理キー３ｂ２、及び物理キー３ｂ３の合計３個の物理キーを含む。物理キー３ｂ１、物理キー３ｂ２、及び物理キー３ｂ３は、電子機器１の筐体１ｈの底辺側の縁Ｆ３に沿って、図１３に示すｘ軸に平行な方向に１列に並んで配置される。なお、本実施形態では、図１３に示す電子機器１の筐体１ｈの左辺側の縁Ｆ１に沿って物理キーを配置していないが、配置してもよい。また、図１３に示す電子機器１の筐体１ｈの右辺側の縁Ｆ２に沿って物理キーを配置していないが、配置してもよい。なお、本実施形態では、第１キーユニット３ａを備えていない場合で説明するが、上記実施形態と同様に、第１キーユニット３ａを備えていてもよい。図１３に示す第２キーユニット３ｂを構成する物理キーの個数は一例であり、必ずしも、図１３に示す例と同数の物理キーで構成されていなくてもよい。図１３に示す例では、物理キー３ｂ１、物理キー３ｂ２、及び物理キー３ｂ３を筐体１ｈの辺Ｆ３に沿って配置したが、筐体１ｈの別の辺に沿って配置してもよく、タッチスクリーンディスプレイ２の輪郭を構成する１辺に沿って配置してもよい。
【００９５】
図１４は、実施形態に係るキー構成の一例を示す図である。電子機器１は、文字入力処理を実行する際、図１４に示す画面２０をディスプレイ２Ａに表示する。画面２０は、テキスト表示領域２１と、第１キー領域５０と第２キー領域５２とを有する。テキスト表示領域２１は、文字入力処理によって入力された文字、文字列等を表示できる。テキスト表示欄２１は、タッチスクリーンディスプレイ２の辺２Ｃに沿って配置されている。
【００９６】
第１キー領域５０及び第２キー領域５２は、タッチスクリーン２Ｂと重なった位置に設けられている。第１キー領域５０は、タッチスクリーンディスプレイ２の第２キーユニット３ｂが配置されている側の辺に沿って設けられている。第１キー領域５０は、図１４に示す第１キー５１ａ、第１キー５１ｂ、及び第１キー５１ｃの合計３個のソフトウェアキーを含む。第１キー５１ａ、第１キー５１ｂ、及び第１キー５１ｃは、電子機器１の筐体１ｈの底辺側の縁Ｆ３に沿ったタッチスクリーンディスプレイ２の辺に沿って、図１４に示すｘ軸に平行な方向に１列に並んで配置される。本実施形態の第１キー５１ａ、第１キー５１ｂ、及び第１キー５１ｃは、各々に第１キーデータ９Ｃの第１の行、第２の行、第３の行の各々を割り当てていることを示す情報を含む。以下の説明では、複数の第１キー５１ａ、５１ｂ、５１ｃを区別しない場合、第１キー５１と記載する。
【００９７】
第２キー領域５２は、タッチスクリーンディスプレイ２の辺２Ｄとテキスト表示欄２１に沿って設けられており、辺２Ｄに隣接している。第２キー領域５２は、複数の第２キー５４ａ、５４ｂ、５４ｃ、５４ｄ、５４ｅ、５４ｆ、５４ｇ、５４ｈ、５４ｉ、５４ｊが表示される。実施形態の複数の第２キー５４ａ、５４ｂ、５４ｃ、５４ｄ、５４ｅ、５４ｆ、５４ｇ、５４ｈ、５４ｉ、５４ｊは、辺２Ｄに沿って、図１４に示す画面２０の上側から下側に列状に配置される。つまり、第２キー５４ａ、５４ｂ、５４ｃ、５４ｄ、５４ｅ、５４ｆ、５４ｇ、５４ｈ、５４ｉ、５４ｊは、辺２Ｄに沿って、第２キーユニット３と離れる方向から近づく方向にこの順に配置されている。複数の第２キー５４ａ、５４ｂ、５４ｃ、５４ｄ、５４ｅ、５４ｆ、５４ｇ、５４ｈ、５４ｉ、５４ｊは、第２キー領域５２を画面２０の上側から上下側に分割した複数の領域となっている。以下の説明では、複数の第２キー５４ａ、５４ｂ、５４ｃ、５４ｄ、５４ｅ、５４ｆ、５４ｇ、５４ｈ、５４ｉ、５４ｊを区別しない場合、第２キー５４と記載する。
【００９８】
実施形態の複数の第２キー５４ａ、５４ｂ、５４ｃ、５４ｄ、５４ｅ、５４ｆ、５４ｇ、５４ｈ、５４ｉ、５４ｊは、第２キーデータ９Ｄが示す複数の行のうちの１つの行の配列１〜配列１０の文字を割り当てることができる。複数の第２キー５４ａ、５４ｂ、５４ｃ、５４ｄ、５４ｅ、５４ｆ、５４ｇ、５４ｈ、５４ｉ、５４ｊは、割り当てられた文字を示す画像を表示できる。複数の第２キー５４ａ、５４ｂ、５４ｃ、５４ｄ、５４ｅ、５４ｆ、５４ｇ、５４ｈ、５４ｉ、５４ｊは、タッチスクリーンディスプレイ２に並ぶ複数のソフトウェアキーとして機能する。例えば、複数の第２キー５４ａ、５４ｂ、５４ｃ、５４ｄ、５４ｅ、５４ｆ、５４ｇ、５４ｈ、５４ｉ、５４ｊは、辺２Ｄに沿って設けることにより、利用者がキーユニットに沿って第２キー５４を操作することができる。なお、図１４に示す画面２０では、テキスト表示欄２１を設けたがテキスト表示欄２１を設けなくてもよい。
【００９９】
図１５は、実施形態に係る電子機器１による文字入力処理に係る他の一例を示す図である。図１５に示す例は、利用者が電子機器１を横向きにして利用する場合の一例を示している。
【０１００】
図１５に示すように、電子機器１は、文字入力処理を実行する際、画面２０をディスプレイ２に表示する。図１５に示すステップＳ２１では、利用者は、第１キー領域５０の第１キー５１ａに対して仮選択操作を行っている。電子機器１は、ステップＳ２１として、タッチスクリーン２ｂを介して、第１キー５１ａに対する仮選択操作を検出すると、設定データ９Ｚに基づいて、第１キー５１ａに対応する第１キーデータ９Ｃの第１の行が選択されたと判定する。電子機器１は、第２キーデータ９Ｄの第１の行（ｑ行）の配列に基づいて、第２キー５４の各々に対して文字を割り当てる。電子機器１は、画面２０において、第２キー５４ｊ、５４ｉ、５４ｈ、５４ｇ、５４ｆ、５４ｅ、５４ｄ、５４ｃ、５４ｂ、５４ａの各々に、「ｑ」、「ｗ」、「ｅ」、「ｒ」、「ｔ」、「ｙ」、「ｕ」、「ｉ」、「ｏ」、「ｐ」の文字を示す画像の各々を表示する。電子機器１は、第２キー５４に文字を割り当てると、第２キーデー９Ｄの第１の行を示す音声をスピーカ１１から出力する。ステップＳ２１に示す例では、電子機器１は、第１の行を示す「ｑｗｅｒｔｙｕｉｏｐ」の読み上げ音声Ｍ２１を出力する。
【０１０１】
ステップＳ２２では、利用者は、第１キー領域５０の第１キー５１ｂに対して仮選択操作を行っている。電子機器１は、ステップＳ２２として、タッチスクリーン２Ｂを介して、第１キー領域５０の第１キー５１ｂに対する仮選択操作を検出すると、設定データ９Ｚに基づいて、第１キー領域５０の第１キー５１ｂに対応する第２キーデータ９Ｄの第２の行（ａ行）が選択されたと判定する。電子機器１は、第２キーデータ９Ｄの第２の行の配列に基づいて、第２キー５４の各々に対して文字を割り当てる。電子機器１は、画面２０において、第２キー５４ｊ、５４ｉ、５４ｈ、５４ｇ、５４ｆ、５４ｅ、５４ｄ、５４ｃ、５４ｂの各々に、「ａ」、「ｓ」、「ｄ」、「ｆ」、「ｇ」、「ｈ」、「ｊ」、「ｋ」、「ｌ」の文字を示す画像の各々を表示する。電子機器１は、第２キー５４に文字を割り当てると、第２キーデータ９Ｄの第２の行を示す音声をスピーカ１１から出力する。ステップＳ２２に示す例では、電子機器１は、第２の行を示す「ａｓｄｆｇｈｊｋｌ」の読み上げ音声Ｍ２２を出力する。
【０１０２】
ステップＳ２３では、利用者は、第１キー領域５０の第１キー５１ｃに対して仮選択操作を行っている。電子機器１は、ステップＳ２３として、タッチスクリーン２ｂを介して、第１キー領域５０の第１キー５１ｃに対する仮選択操作を検出すると、設定データ９Ｚに基づいて、第１キー領域５０の第１キー５１ｃに対応する第１キーデータ９Ｃの第３の行が選択されたと判定する。電子機器１は、第２キーデータ９Ｄの第３の行の配列に基づいて、第２キー５４の各々に対して文字を割り当てる。電子機器１は、画面２０において、第２キー５４ｊ、５４ｉ、５４ｈ、５４ｇ、５４ｆ、５４ｅ、５４ｄ、５４ｃ、５４ｂの各々に、「ｓｈｉｆｔ」、「ｚ」、「ｘ」、「ｃ」、「ｖ」、「ｂ」、「ｎ」、「ｍ」、「ｄｅｌｅｔｅ」の文字を示す画像の各々を表示する。電子機器１は、第２キー５４に文字を割り当てると、第２キーデータタ９Ｄの第３の行を示す音声をスピーカ１１から出力する。ステップＳ２３に示す例では、電子機器１は、第３の行を示す「ｚｘｃｖｂｎｍ」の読み上げ音声を出力する。
【０１０３】
以上により、電子機器１は、第１キー領域５０の第１キー５１ａ、５１ｂ、５１ｃに対する操作を検出すると、検出した第１キーに対応するＱＷＥＲＴＹ配列のうちの１行を第２キー５４に割り当てる。その結果、利用者は、第１キー領域５０の第１キー５１ａ、５１ｂ、５１ｃを操作することにより、第２キー５４に割り当てられたＱＷＥＲＴＹ配列の行とキー配置を推測することができる。また、第２キー５４に１列のキーのみを設けることで、画面上下方向の位置により、選択するキーが変化することを抑制することができる。従って、電子機器１は、ＱＷＥＲＴＹ配列のキーの位置をわかりやすくできるため、ＱＷＥＲＴＹ配列のキーを用いた文字入力の操作性を向上させることができる。また、電子機器１は、第２キー５４に割り当てられたＱＷＥＲＴＹ配列の行を、音声によって利用者に通知することができる。これにより、利用者は、どの列を指定しているかを把握することができる。また、電子機器１は、第１キー領域５０を、タッチスクリーンディスプレイ２の辺に沿って設ける。また、電子機器１は、第１キー領域５０の第２キー５４を筐体１ｈの縁、筐体１ｈとタッチスクリーンディスプレイ２との境界、及びタッチスクリーンディスプレイ２の辺に沿って設けてもよい。これにより、利用者は、筐体１ｈの縁、筐体１ｈとタッチスクリーンディスプレイ２との境界、及びタッチスクリーンディスプレイ２の辺に沿って指等を動かすことで、キーを選択、操作することができ、簡単な操作でキーに対する操作を実行することができる。
【０１０４】
図１５に示す例では、電子機器１は、割り当てる文字数が第２キー５４の数よりも少ない場合、第２キー５４ｊ（第２キーユニット３ｂが配置されている側）から詰めて文字を割り当てる場合について説明したがこれに限定されない。例えば、電子機器１は、割り当てる文字数が第２キー５４の数よりも少ない場合、第２キー５４ａから詰めて文字を割り当ててもよい。例えば、電子機器１は、割り当てる文字数が第２キー５４の数よりも少なくとも２つ少ない場合、第２キー５４ｊ及び第２キー５４ａの両側に文字を割り当てなくてもよい。
【０１０５】
上記の実施形態では、電子機器１は、利用者が第１キー５１に対する仮選択操作を行い、その後、第２キー５４に対する操作を検出した場合に、文字入力を受け付ける場合について説明したが、これに限定されない。例えば、電子機器１は、第１キー５１に対する仮選択操作によってＱＷＥＲＴＹ配列の行が選択された状態で、第１キー５１に対する決定操作を検出した場合に、選択されたＱＷＥＲＴＹ配列の行の所定の文字の入力を受け付けてもよい。一例としては、電子機器１は、ＱＷＥＲＴＹ配列の「ｑ」の行が選択された状態で、第１キー５１に対する決定操作を検出した場合に、当該行の先頭の「ｑ」の文字の入力を受け付けてもよい。
【０１０６】
図１６は、実施形態に係る文字入力処理の他の一例を説明するための図である。図１６を用いて、電子機器１の文字入力処理に関する制御の他の一例を説明する。図１６に示す場面では、利用者は、第２キーユニット３ｂの物理キー及び第２キー５４のソフトウェアキーのみを用いて、文字を入力する。
【０１０７】
図１６に示すステップＳ３１では、利用者は、第１キー領域５０の第１キー５１ｂに対して仮選択操作を行っている。電子機器１は、ステップＳ３１として、タッチスクリーン３ｃを介して、第１キー領域５０の第１キー５１ｂに対する仮選択操作を検出すると、画面２０において、第２キー５４ｊ、５４ｉ、５４ｈ、５４ｇ、５４ｆ、５４ｅ、５４ｄ、５４ｃ、５４ｂの各々に、「ａ」、「ｓ」、「ｄ」、「ｆ」、「ｇ」、「ｈ」、「ｊ」、「ｋ」、「ｌ」の文字を示す画像の各々を表示する。電子機器１は、ＱＷＥＲＴＹ配列における第２の行を示す「ａｓｄｆｇｈｊｋｌ」の読み上げ音声を出力する。
【０１０８】
ステップＳ３２では、利用者は、第１キー領域５０の第１キー５１ｂに対して決定操作を行っている。電子機器１は、ステップＳ３２として、タッチスクリーン２Ｂを介して、第１キー領域５０の第１キー５１ｂに対する決定操作を検出すると、画面２０の第２キー５４の配列を確定する。ステップＳ３２に示す例では、電子機器１は、第２キー５４ｊ、５４ｉ、５４ｈ、５４ｇ、５４ｆ、５４ｅ、５４ｄ、５４ｃ、５４ｂの各々に割り当てた文字を強調表示している。なお、第１キーに対する仮選択操作と決定操作としては、仮選択操作をタップ、決定操作をダブルタップ、ロングタップ等とすればよい。
【０１０９】
ステップＳ３３では、利用者は、第２キー領域５２の第２キー５４ｅに対して仮選択操作を行っている。電子機器１は、ステップＳ３３として、タッチスクリーン２Ｂを介して、第２キー５４ｅに対する仮選択操作を検出すると、第２キー５４ｅに対応する出力を実行する。具体的には、電子機器１は、第２キー５４ｅに文字「ｈ」が割り当てられているため、例えば「ｈ」の読み上げ音声をスピーカ１１から出力する。この場合、電子機器１は、第２キー５４ｅを仮選択状態とする。
【０１１０】
ステップＳ３４では、利用者は、第２キー５４ｅに対して決定操作を行っている。電子機器１は、ステップＳ３４として、タッチスクリーン２Ｂを介して、第２キー５４ｅに対する決定操作を検出すると、第２キー５４ｅに割り当てられている文字「ｈ」の入力を確定し、テキスト表示領域２１に文字「ｈ」の入力データを表示する。
【０１１１】
上記の実施形態では、電子機器１は、第１キー５１ｂ、第２キー５４ｅに対する仮選択操作と決定操作を区別する場合について説明したが、これに限定されない。例えば、電子機器１は、第１キー５１、第２キー５４に対する仮選択操作と決定操作とを区別せずに、第１キー５１、第２キー５４に対する操作を検出してもよい。例えば、電子機器１は、第１キー５１、第２キー５４に対するタッチを仮選択操作または決定操作のいずれかの操作として検出してもよい。つまり同じ操作を仮選択操作または決定操作として検出してもよい。電子機器１は、仮選択操作を設けず、第１キー５１、第２キー５４に対する操作を決定操作として検出してもよい。
【０１１２】
図１６に示す例では、電子機器１は、ステップＳ３１として、利用者が第１キー領域５０の第１キー５１ｂに対して仮選択操作を行い、その後、ステップＳ３２として、利用者が当該第１キー５１ｂに対して決定操作を行う場合について説明したが、これに限定されない。例えば、電子機器１は、ステップＳ３２の第１キー５１ｂに対する決定操作を不要としてもよい。具体的には、電子機器１は、ステップＳ３１として、タッチスクリーン２Ｂを介して、第１キー領域５０の第１キー５１ｂに対する操作を検出すると、画面２０において、第２キー５４に配列の文字を割り当て、割り当てた文字を確定してもよい。すなわち、図１６に示す例では、電子機器１は、ステップＳ３２の処理を省略し、ステップＳ３１からステップＳ３３へ処理を進めてもよい。
【０１１３】
図１７は、実施形態に係る電子機器１による制御の他の一例の処理手順を示すフローチャートである。図１７に示す処理手順は、コントローラ１０が文字入力制御プログラム９Ｂを実行することによって実現される。図１７に示す処理手順は、利用者によって文字入力が要求された状態でコントローラ１０によって実行される処理である。なお、図１７に示す処理は、第１キーに対する決定操作を検出しない場合の処理である。
【０１１４】
図１７に示すように、電子機器１のコントローラ１０は、タッチスクリーン３ｃの検出結果に基づいて、第１キー５１に対する仮選択操作を検出したか否かを判定する（ステップＳ２０１）。コントローラ１０は、第１キー５１に対する仮選択操作を検出していないと判定した場合（ステップＳ２０１でＮｏ）、処理を後述するステップＳ２０３に進める。コントローラ１０は、第１キー５１に対する仮選択操作を検出したと判定した場合（ステップＳ２０１でＹｅｓ）、処理をステップＳ２０２に進める。
【０１１５】
コントローラ１０は、検出したキーに対応付けられた行の配列を第２キー領域５２に割り当てる（ステップＳ２０２）。例えば、コントローラ１０は、設定データ９Ｚに基づいて、検出した第１キー５１に対応する第１キーデータ９Ｃの行を特定する。コントローラ１０は、特定した第１キーデータ９Ｃの行の配列に基づいて第２キー５４の個数を特定し、当該第２キー５４の各々に対して文字を割り当てる。コントローラ１０は、文字を割り当てた文字を第２キー５４に表示させると、処理をステップＳ２０３に進める。
【０１１６】
コントローラ１０は、タッチスクリーン２Ｂの検出結果に基づいて、第２キー５４に対する仮選択操作を検出したか否かを判定する（ステップＳ２０３）。例えば、コントローラ１０は、第２キー５４に対するタッチ、タップ等の操作を検出した場合、第２キー５４に対する仮選択操作を検出したと判定する。コントローラ１０は、第２キー５４に対する仮選択操作を検出したと判定した場合（ステップＳ２０３でＹｅｓ）、処理をステップＳ２０４に進める。
【０１１７】
コントローラ１０は、仮選択操作を検出したキーに対応する出力処理を実行する（ステップＳ２０４）。例えば、出力処理は、コントローラ１０が仮選択操作を検出した第２キー５４に割り当てられている文字の読み上げ音声をスピーカ１１から出力させる処理を含む。例えば、出力処理は、コントローラ１０が第２キー５４の該当するキーの表示態様を変更させる処理を含む。コントローラ１０は、出力処理が終了すると、仮選択操作を検出したキーを仮選択状態に遷移させる（ステップＳ２０５）。仮選択操作を検出したキーとは、仮選択操作を検出した第２キー５４である。
【０１１８】
コントローラ１０は、文字入力を終了するか否かを判定する（ステップＳ２０６）。例えば、コントローラ１０は、文字入力の終了操作、終了タイミング等を検出した場合に、文字入力を終了すると判定する。コントローラ１０は、文字入力を終了しないと判定した場合（ステップＳ２０６でＮｏ）、処理を既に説明したステップＳ２０１に戻す。コントローラ１０は、文字入力を終了すると判定した場合（ステップＳ２０６でＹｅｓ）、処理をステップＳ２０７に進める。
【０１１９】
コントローラ１０は、入力データの保存処理を実行する（ステップＳ２０７）。例えば保存処理は、利用者が入力データの保存を希望する場合、コントローラ１０が入力データをストレージ９に記憶する処理を含む。例えば、保存処理は、利用者が入力データの保全を希望しない場合、コントローラ１０が入力データを消去する処理を含む。例えば、保存処理は、コントローラ１０がディスプレイ２Ａに表示している画面を消去させる処理を含む。コントローラ１０は、保存処理の実行が終了すると、図１７に示す処理手順を終了させる。
【０１２０】
コントローラ１０は、第２キー５４に対する仮選択操作を検出していないと判定した場合（ステップＳ２０３でＮｏ）、処理をステップＳ２０８に進める。コントローラ１０は、タッチスクリーン２Ｂの検出結果に基づいて、仮選択状態の第２キー５４に対する決定操作を検出したか否かを判定する（ステップＳ２０８）。例えば、コントローラ１０は、仮選択状態の第２キー５４に対するロングタッチ等の操作である。電子機器１は、第２キーユニット３ｂに対する押下、ロングタッチ等の操作を検出した場合、仮選択状態の第２キー５４に対する決定操作を検出したと判定してもよい。コントローラ１０は、仮選択状態の第２キー５４に対する決定操作を検出していないと判定した場合（ステップＳ２０８でＮｏ）、処理を既に説明したステップＳ２０６に進める。コントローラ１０は、仮選択状態の第２キー５４に対する決定操作を検出したと判定した場合（ステップＳ２０８でＹｅｓ）、処理をステップＳ２０９に進める。
【０１２１】
コントローラ１０は、仮選択状態のキーに対応する文字の入力を確定する（ステップＳ２０９）。例えば、コントローラ１０は、確定した文字を入力データとして一時的にストレージ９に記憶できる。コントローラ１０は、キーの仮選択状態を解除する（ステップＳ２１０）。コントローラ１０は、キーの仮選択状態を解除すると、処理を既に説明したステップＳ２０６に進める。
【０１２２】
なお、本実施形態は、第１キー領域５０に表示した第１キー５１に第１キーデータ９Ｃの各行のデータを対応付けたが、第２キーユニットに対して第１キーデータ９Ｃの各行のデータを対応付けてもよい。この場合、物理キーの操作で、キーボードの行を特定し、ソフトウェアキーの操作で、特定した行のキーを特定する。
【０１２３】
本出願の開示する実施形態は、発明の要旨及び範囲を逸脱しない範囲で変更することができる。さらに、本出願の開示する実施形態及びその変形例は、適宜組み合わせることができる。例えば、上記の実施形態は、以下のように変形してもよい。
【０１２４】
例えば、図１に示した各プログラムは、複数のモジュールに分割されていてもよいし、他のプログラムと結合されていてもよい。
【０１２５】
上記の実施形態では、タッチスクリーン２Ｂを備える電子機器の例として、電子機器１について説明したが、添付の請求項に係る電子機器は、電子機器に限定されない。添付の請求項に係る電子機器は、電子機器以外の携帯電子機器であってもよい。携帯電子機器は、例えば、モバイルフォン、タブレット、携帯型パソコン、デジタルカメラ、スマートウォッチ、メディアプレイヤ、電子書籍リーダ、ナビゲータ、及びゲーム機を含むが、これに限定されない。
【０１２６】
以下、図１８から図２９を用いて、電子機器１の種々の例について説明する。図１８は、実施形態に係るキーユニットの配置例を示す図である。図１８に示す電子機器１は略直方体状の筐体１ｈに第１キーユニット３ａと第２キーユニット３ｂに加え、第３キーユニット３ｄを有する。第１キーユニット３ａは、物理キー３ａ１、・・・、物理キー３ａ１０の合計１０個の物理キーを含む。第１キーユニット３ａは、物理キー３ａ１、・・・、物理キー３ａ１０は、電子機器１の筐体１ｈの左辺側の縁Ｆ１に沿って、図１８に示すｙ軸に平行な方向に１列に並んで配置される。第２キーユニット３ｂは、図１８に示す物理キー３ｂ１、物理キー３ｂ２、及び物理キー３ｂ３の合計３個の物理キーを含む。物理キー３ｂ１、物理キー３ｂ２、及び物理キー３ｂ３は、電子機器１の筐体１ｈの底辺側の縁Ｆ３に沿って、図１８に示すｘ軸に平行な方向に１列に並んで配置される。第３キーユニット３ｄは、物理キー３ｄ１、・・・、物理キー３ｄ１０の合計１０個の物理キーを含む。物理キー３ｄ１、・・・、物理キー３ｄ１０は、電子機器１の筐体１ｈの右辺側の縁Ｆ２に沿って、図１８に示すｙ軸に平行な方向に１列に並んで配置される。このように、電子機器１は、複数の物理キーを含むキーユニットを筐体１ｈの対向する２つの辺にそれぞれ配置してもよい。この場合、２列のうち１列のキーユニットを用いて上記制御を実行する。図１８に示す第１キーユニット３ａ、第２キーユニット３ｂ及び第３キーユニット３ｄのそれぞれを構成する物理キーの個数は一例であり、必ずしも、図１８に示す例と同数の物理キーで構成されていなくてもよい。図１８に示す例では、物理キー３ａ１、・・・、物理キー３ａ１０は、電子機器１の筐体１ｈの左辺側の縁Ｆ１に沿って配置されるが、タッチスクリーンディスプレイの輪郭を構成する１辺に沿った配置であってよい。同様に、物理キー３ｂ１、物理キー３ｂ２、及び物理キー３ｂ３は、タッチスクリーンディスプレイの輪郭を構成する１辺に沿った配置であってよい。同様に、物理キー３ｄ１、・・・、物理キー３ｄ１０は、電子機器１の筐体１ｈの右辺側の縁Ｆ２に沿って配置されるが、タッチスクリーンディスプレイの輪郭を構成する１辺に沿った配置であってよい。つまり、第１キーユニット３ａ、第２キーユニット３ｂ及び第３キーユニット３ｄは、筐体１ｈの外側の辺に沿って配置しても、筐体１ｈのタッチスクリーンディスプレイ２Ｂ側の辺、筐体１ｈとタッチスクリーンディスプレイ２Ｂとの境界に沿って配置してもよい。
【０１２７】
図１９及び図２０は、電子機器が備える複数の物理キーの他の配置例を示す図である。電子機器１は、複数の物理キーをいくつかのグループに分けて配置してもよい。図１９に示す例では、電子機器１は、物理キー３ａ３と物理キー３ａ４と間に空間５９ａを設けるとともに、物理キー３ａ６と物理キー３ａ７との間に空間５９ｂを設ける。さらに、電子機器１は、物理キー３ｄ３と物理キー３ｄ４との間に空間５９ｃを設けるとともに、物理キー３ｄ６と物理キー３ｄ７との間に空間５９ｄを設ける。これにより、電子機器１は、第１キーユニット３ａが備える複数の物理キー３ａ１〜３ａ１０を、物理キー３ａ１〜３ａ３のグループと、物理キー３ａ４〜３ａ６のグループと、物理キー３ａ７〜３ａ１０とに分けて配置するとともに、第３キーユニット３ｄが備える複数の物理キー３ｂ１〜３ｂ１０を、物理キー３ｄ１〜３ｄ３のグループと、物理キー３ｄ４〜３ｄ６のグループと、物理キー３ｄ７〜３ｄ１０とに分けて配置する。
【０１２８】
図２０に示す例では、電子機器１は、物理キー３ａ３と物理キー３ａ４との間に間仕切り６０ａを設けるとともに、物理キー３ａ６と物理キー３ａ７との間に間仕切り６０ｂを設ける。さらに、電子機器１は、物理キー３ｂ３と物理キー３ｂ４との間に間仕切り６０ｃを設けるとともに、物理キー３ｂ６と物理キー３ｂ７との間に間仕切り６０ｄを設ける。これにより、電子機器１は、第１キーユニット３ａが備える複数の物理キー３ａ１〜３ａ１０を、物理キー３ａ１〜３ａ３のグループと、物理キー３ａ４〜３ａ６のグループと、物理キー３ａ７〜３ａ１０のグループとに分けて配置するとともに、第３キーユニット３ｄが備える複数の物理キー３ｄ１〜３ｄ１０を、物理キー３ｄ１〜３ｄ３のグループと、物理キー３ｄ４〜３ｄ６のグループと、物理キー３ｄ７〜３ｄ１０のグループとに分けて配置する。
【０１２９】
図２１及び図２２は、実施形態に係る電子機器が備える物理キーの操作面に関する他の構造例を示す図である。電子機器１が備える複数の物理キーの中から物理キー３ａ１の操作面を例示する。図２１に示す例では、電子機器１は、例えば、物理キー３ａ１の操作面（利用者が触れて操作する面）に点字パターンを表出させる６つの突起部７０ａ〜７０ｆを備える。突起部７０ａ〜７０ｆは、アクチュエーター等により表面に突出させること、及び内部に収納させることが可能な状態で設置される。６つの突起部７０ａ〜７０ｆは、出力される文字に合わせて突出する。物理キー３ａ１は、点字を読み取る場合の一般的な横方向の指の動きに合わせて、図２１に示す例から９０度回転した状態で設置さてもよい。
【０１３０】
例えば、電子機器１は、突出部を備える複数の物理キーに、ＱＷＥＲＴＹ配列の行を割り当てる場合、割り当てた配列の文字に対応した突出パターンで、複数の物理キーの突出部を突出させてもよい。一例としては、物理キー３ａ１にＱＷＥＲＴＹ配列の「ｐ」を割り当てる場合、電子機器１は、「ｐ」の文字に合わせて、物理キー３ａ１の突出部７０ａ、７０ｂ、７０ｃ、７０ｄを突出させ、突出部７０ｅ、７０ｆを突出させないように制御してもよい。その結果、利用者は、物理キー３ａ１の操作面を指で触れることにより、突出部７０ａ、７０ｂ、７０ｃ、７０ｄが突出していることを認識することで、物理キー３ａ１に文字の「ｐ」が割り当てられていることを認識できる。電子機器１は、複数の物理キーにＱＷＥＲＴＹ配列の異なる行を割り当てた場合、新たに割り当てた文字に対応した突出パターンで、複数の物理キーの突出部を突出させてもよい。
【０１３１】
図２２に示す例では、電子機器１は、物理キー３ａ１の操作面を２つの領域８０ａ及び領域８０ｂに分けるように、物理キー３ａ１の長手方向に平行な線状の間仕切り９０を物理キー３ａ１の操作面に設ける。図２２に示す物理キー３ａ１では、電子機器１は、物理キー３ａ１の操作面の２つの領域８０ａ及び領域８０ｂのうち、どちらの領域にタッチが検出されたかによって、処理内容を変更することができる。
【０１３２】
図２３を用いて、電子機器１の機能構成の他の例を説明する。図２３は、実施形態に係る電子機器の機能構成の他の例を示す図である。上記の実施形態では、電子機器１は、物理キーユニット３を内部に備える例を説明した（図１参照）が、物理キーユニット３を外付け可能な個別のユニットとして構成することもできる。図２３に示すように、電子機器１は、通信ユニット６を介して、外付け物理キーユニット１００と通信可能な状態で接続する。外付け物理キーユニット１００は、例えば、通信ユニット１０１、メモリ１０２、物理キーユニット１０３、及びマイコン１０４を備える。物理キーユニット１０３は、第１キーユニット１０３ａ、第２キーユニット１０３ｂ、及びタッチスクリーン１０３ｃを有する。電子機器１は、通信ユニット６を介して、外付け物理キーユニット１００に対する利用者の操作の情報を受信し、上記の実施形態と同様の処理を実行できる。
【０１３３】
図２４〜図２９は、実施形態に係る電子機器の他の構造例を示す図である。図２４及び図２５に示すように、電子機器１は、筐体１ｈの側面に、複数の物理キー３ａ１〜３ａ３を配置した構造であってもよい。
【０１３４】
また、図２６に示すように、電子機器１は、利用者の操作面にタッチスクリーン２Ｂ及び複数の物理キーのみを配置した構造であってもよい。つまり、電子機器１は、ディスプレイを備えていなくてもよい。また、図２７及び図２８に示すように、電子機器１は、略円形状の形態をなし、内部にタッチスクリーンディスプレイ２を配置するとともに、構造体の外周部に物理キーを配置した構造体であってもよい。また、図２９に示すように、電子機器１は、略円柱状の形態をなし、上面にタッチスクリーンディスプレイ２を配置し、側面に複数の物理キーを配置した構造体であってもよい。
【０１３５】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【０１３６】
１  電子機器
２  タッチスクリーンディスプレイ
２Ａ  ディスプレイ
２Ｂ  タッチスクリーン
３  物理キーユニット
３ａ  第１キーユニット
３ｂ  第２キーユニット
３ｃ  タッチスクリーン
３ｄ  第３キーユニット
４  照度センサ
５  近接センサ
６  通信ユニット
７  レシーバ
８  マイク
９  ストレージ
９Ａ  制御プログラム
９Ｂ  文字入力制御プログラム
９Ｃ  第１キーデータ
９Ｄ  第２キーデータ
９Ｅ  条件データ
９Ｚ  設定データ
１０  コントローラ
１１  スピーカ
１２  カメラ
１３  カメラ
１４  コネクタ
１５  モーションセンサ
１００  外付け物理キーユニット
【図１】
2018005531.tif 000003
【図２】
2018005531.tif 000004
【図３】
2018005531.tif 000005
【図４】
2018005531.tif 000006
【図５】
2018005531.tif 000007
【図６】
2018005531.tif 000008
【図７】
2018005531.tif 000009
【図８】
2018005531.tif 000010
【図９】
2018005531.tif 000011
【図１０】
2018005531.tif 000012
【図１１】
2018005531.tif 000013
【図１２】
2018005531.tif 000014
【図１３】
2018005531.tif 000015
【図１４】
2018005531.tif 000016
【図１５】
2018005531.tif 000017
【図１６】
2018005531.tif 000018
【図１７】
2018005531.tif 000019
【図１８】
2018005531.tif 000020
【図１９】
2018005531.tif 000021
【図２０】
2018005531.tif 000022
【図２１】
2018005531.tif 000023
【図２２】
2018005531.tif 000024
【図２３】
2018005531.tif 000025
【図２４】
2018005531.tif 000026
【図２５】
2018005531.tif 000027
【図２６】
2018005531.tif 000028
【図２７】
2018005531.tif 000029
【図２８】
2018005531.tif 000030
【図２９】
2018005531.tif 000031